(57)【要約】【課題】  キーコードを変更できる小型で安価なシリンダ錠であって、鍵穴に異物が挿入されてキー操作が不可能となった場合、鍵が破損した場合、紛失した場合なども開錠することができるシリンダ錠を提供できるようにする。【解決手段】  シリンダ錠を開錠する正規の鍵を破損した場合などは、治具７５１の先端部７５１ａの凸部を、前部外周シリンダ２００の前部２００ａに設けられた凹部に嵌合させ、治具７５１の握り部７５１ｃを、矢印５２１と矢印５２２に沿って充分強い力で回転させる。これにより、前部外周シリンダ２００の周囲に設けられたノッチ７０１の位置において、前部外周シリンダ２００が破壊され、前部２００ａが後部２００ｂから切り離される。その後、外周シリンダ２００から内周シリンダを取り出し、内周シリンダからサイドバーを取り外せば、正規の鍵がなくてもシリンダ錠を開錠できる。本発明は、シリンダ錠に適用することができる。【選択図】図８３
2006316582.tif 000002
【特許請求の範囲】
【請求項１】
挿入された鍵のキーコードに対応する面に開閉プレートが当接することによって、サイドバーの移動を規制することにより施錠するか、または開錠する動作が決定されるシリンダと、
前記シリンダの外側を覆うカバーとを有するシリンダ錠において、
前記カバーの表面に、鍵の挿入方向の所定の位置において前記カバーの表面を一周する切込みが設けられている
ことを特徴とするシリンダ錠。
【請求項２】
前記カバーの前記鍵が挿入される面に、予め定められた大きさであって、治具の凸部と嵌合する凹部が設けられている
ことを特徴とする請求項１に記載のシリンダ錠。
【請求項３】
前記凹部に、前記凸部を嵌合させて、所定の力で前記治具を回動させた場合、前記カバーが前記切込みの位置において破断するように前記切込みが設けられている
ことを特徴とする請求項２に記載のシリンダ錠。
【請求項４】
破断した前記カバーの内部の前記シリンダが取り出され、
前記シリンダから前記サイドバーが取り外され、
前記サイドバーが取り外された前記シリンダが前記カバーの内部に挿入され、
所定の形状であって、任意のキーコードをもつ鍵により開錠される
ことを特徴とする請求項３に記載のシリンダ錠。
【請求項５】
一方の端部がシリンダに係合し、前記シリンダとともに回動する連結軸と、
鍵の挿入方向に設けられた、前記連結軸の他方の端部と係合する係合穴を有し、前記連結軸の他方の端部が前記係合穴に挿入された状態で、前記鍵の挿入方向に移動可能に前記連結軸と係合し、前記連結軸とともに回動する出力軸と
をさらに含むことを特徴とする請求項１に記載のシリンダ錠。
【請求項６】
前記カバーは、
前記シリンダの外周に設けられた第１の外周カバーと、
前記出力軸の外周に設けられた第２の外周カバーと、
前記連結軸の外周に設けられた第３の外周カバーとにより構成される
ことを特徴とする請求項５に記載のシリンダ錠。
【請求項７】
前記開閉プレートは、前記鍵が挿入されたとき、挿入された前記鍵のキーコードに対応する面に当接することによって、挿入されている前記鍵のキーコードに対応する前記面で定まる位置であって、複数の前記位置決め部分のうちの、１つの前記位置決め部分と自分の一部とが係合することができる前記第１の方向の第１の位置に移動させられ、
前記第１の方向に直交し、前記鍵の挿入の方向と平行な第２の方向の位置が第２の位置または第３の位置に移動可能に設けられたタンブラプレートをさらに含み、
前記タンブラプレートは、
前記サイドバーにより、前記シリンダの回動位置に応じて、前記第２の方向の前記第２の位置または前記第３の位置に移動させられ、
前記第２の方向の前記第３の位置に移動している場合、前記開閉プレートに設けられた前記第１の方向に並ぶ複数の位置決め部分のうちの、１つの前記位置決め部分と、自分の一部とが係合することによって、係合している前記位置決め部分の位置と前記第１の位置とによって定まる前記第１の方向の第４の位置に移動させられ、前記第１の方向の前記第４の位置によって、前記サイドバーの前記第１の方向および前記第２の方向に直交する第３の方向の移動を規制することにより施錠するか、または開錠する動作を決定し、
前記第２の方向の前記第３の位置に移動している場合、自分の一部と、前記開閉プレートに設けられた前記位置決め部分との係合を解除させられる
ことを特徴とする請求項１に記載のシリンダ錠。
【請求項８】
前記タンブラプレートの一部と、前記開閉プレートに設けられた前記位置決め部分との係合を解除させることにより、前記シリンダ錠の開錠に利用される鍵のキーコードを変更することができる
ことを特徴とする請求項７に記載のシリンダ錠。
【発明の詳細な説明】
【技術分野】
【０００１】
本発明は、シリンダ錠に関し、キーコードを変更できる小型で安価なシリンダ錠であって、鍵穴に異物が挿入されてキー操作が不可能となった場合、鍵が破損した場合、紛失した場合なども開錠することができるシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に開錠される恐れが生じた場合、シリンダ錠を他の鍵で施錠または開錠できるものに取り替えなければならなかった。この場合、１つの鍵で施錠または開錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要である。
【０００５】
このため、施錠または開錠できる鍵を自由に変更可能なシリンダ錠が提案されている。
【０００６】
図１乃至図１０を参照して、従来の施錠または開錠できる鍵を自由に変更可能なシリンダ錠１について説明する。図１乃至図１０は、従来のシリンダ錠１の縦断面図である。シリンダ錠１のケース１０は、略筒状に形成される。ケース１０の後端部（図１中の右側）に取り付けフランジ１１が設けられている。
【０００７】
取り付けフランジ１１に対して取り付け面がほぼ一致するように背面カバー１２が設けられている。ケース１０の図中の上側の外周には、カバー１３が設けられている。ケース１０の図中の下側の外周には、カバー１４が設けられている。
【０００８】
中間シリンダ２１は、ケース１０の内側に回動可能に設けられている。中間シリンダ２１の図中の右端の軸２１ａは、背面カバー１２を貫通して、ケース１０の外部に露出し、図示せぬ施錠カムが装着される。
【０００９】
中間シリンダ２１の内側には、さらに、内周シリンダ２２が回動可能に設けられている。内周シリンダ２２の、ケース１０の前端部（図１中の左側）には、鍵が挿入される鍵孔２２ａが設けられている。
【００１０】
中間シリンダ２１および内周シリンダ２２は、施錠または開錠されるとき、鍵とともに回動し、軸２１ａに取り付けられた施錠カムを回動させる。
【００１１】
取り付けフランジ１１には、さらに、リセットピン孔３０が設けられている。リセットピン孔３０には、図中の上下方向に移動可能に、リセットボタン３１が配置されている。リセットピン３２、補助ピン３３、ドライバピン３４、およびバネ３５は、ケース１０、中間シリンダ２１、および内周シリンダ２２の円筒状の孔に連通するように配置されている。リセットピン３２の上端は、リセットボタン３１の凸部３１ａに当接する。バネ３５は、リセットピン３２、補助ピン３３、およびドライバピン３４を図中の上方向に付勢する。
【００１２】
リセットボタン３１が図中の下方向に押圧されたとき、リセットボタン３１の凸部３１ａに当接するリセットピン３２は、図中の下方向に移動し、リセットピン３２によって押圧される、補助ピン３３およびドライバピン３４が、図中の下方向に移動する。
【００１３】
ドライバピン孔４１−１乃至４１−８のそれぞれは、ケース１０の図中の上下方向の円筒状の孔、中間シリンダ２１の図中の上下方向の円筒状の孔、および内周シリンダ２２の図中の上下方向の円筒状の孔からなる。ドライバピン孔４１−１乃至４１−８は、ケース１０の軸方向（鍵が挿入される方向と一致する方向）に配列されている。
【００１４】
一方、ドライバピン孔５１−１乃至５１−８のそれぞれは、ケース１０の図中の上下方向の円筒状の孔および中間シリンダ２１の図中の上下方向の円筒状の孔からなり、ドライバピン孔４１−１乃至４１−８のそれぞれに対向する位置であって、ケース１０の軸方向に配列されている。
【００１５】
カバー１３は、ドライバピン孔４１−１乃至４１−８のケース１０側の開口部を被覆し、カバー１４は、ドライバピン孔５１−１乃至５１−８のケース１０側の開口部を被覆する。
【００１６】
図１で示される状態において、ドライバピン孔５１−１乃至５１−８の他方の開口部は、内周シリンダ２２によって閉じられている。
【００１７】
ドライバピン孔４１−１には、図中の上側から順に、バネ６０、ドライバピン６１、補助ピン６２、およびタンブラ６３が挿入され、連通し、ドライバピン６１、補助ピン６２、およびタンブラ６３は、バネ６０によって図１の下方向に付勢されている。内周シリンダ２２の円筒状の孔は、内側が細く形成され、タンブラ６３は、先端側（図１中の下側）が細く、ドライバピン６１と当接する側が太く形成されている。従って、タンブラ６３は、内周シリンダ２２の円筒状の孔の細くなった部分に当接して、位置決めされる。
【００１８】
また、ドライバピン孔４１−１に対向する位置に配置されているドライバピン孔５１−１には、図中の上から順に、５つの可変ピン６４、ドライバピン６５、およびバネ６６が挿入され、連通し、５つの可変ピン６４、ドライバピン６５は、バネ６６によって図１の上方向に付勢されている。
【００１９】
ドライバピン孔４１−２乃至４１−４、およびドライバピン孔５１−２乃至５１−４には、同様の各種ピンおよびバネが挿入されている。
【００２０】
重複して説明するが、例えば、ドライバピン孔４１−５には、バネ７０、ドライバピン７１、補助ピン７２、タンブラ７３、および２つの可変ピン７４ａが挿入され、連通し、ドライバピン７１、補助ピン７２、タンブラ７３、および２つの可変ピン７４ａは、バネ７０によって図１の下方向に付勢されている。
【００２１】
なお、２つの可変ピン７４ａは、補助ピン７２およびタンブラ７３の間に配置される。
【００２２】
ドライバピン孔５１−５には、３つの可変ピン７４ｂ、ドライバピン７５、およびバネ７６が挿入され、連通し、３つの可変ピン７４ｂおよびドライバピン７５は、バネ７６によって図１の上方向に付勢されている。
【００２３】
補助ピン６２（補助ピン７２を含む）の長さは、中間シリンダ２１の筒状部の肉厚と同等とされている。
【００２４】
図２は、シリンダ錠１に正規の鍵Ｋ1を矢印８０の方向に挿入した状態を表している。鍵Ｋ1には、シリンダ錠１における、個々のタンブラ６３（タンブラ７３を含む）の図中の上下方向の位置を決める、位置決め面８１−１乃至８１−８が設けられている。
【００２５】
以下、１つの鍵によって決まる、タンブラの位置の組み合わせを、その鍵のキーコードとも称する。また、開錠または施錠を許可するタンブラの位置の組み合わせを、その錠のキーコードとも称する。
【００２６】
鍵Ｋ1が挿入されると、ドライバピン孔４１−１乃至４１−８に挿入されているタンブラ６３（タンブラ７３を含む）が、鍵Ｋ1の位置決め面８１−１乃至８１−８（図２では８１−４乃至８１−６の符号を省略している）に当接することにより、各タンブラ６３（タンブラ７３を含む）は図２の上方向に移動する。
【００２７】
タンブラ６３の図中の上方向の移動によって、ドライバピン孔４１−１乃至４１−８において、ケース１０の内周面、および中間シリンダ２１の外周面と、全ての補助ピン６２の上側の面が一致するとともに、補助ピン３３の上側の面とが一致して、ラインＬ1が形成される。ドライバピン孔５１−１乃至５１−８において、ケース１０の内周面、および中間シリンダ２１の外周面と、可変ピン６４の下側の面が一致する。
【００２８】
この場合、中間シリンダ２１の内周面と、全ての補助ピン６２の下側の面が一致する。
【００２９】
一方、中間シリンダ２１の内周面と、ドライバピン３４の上面とは一致しない。
【００３０】
従って、ケース１０に対して、中間シリンダ２１および内周シリンダ２２が、一体に、回動可能になる。
【００３１】
図３で示されるように、矢印９１の方向にリセットボタン３１を押圧すると、リセットピン３２、補助ピン３３、およびドライバピン３４が図中の下側に移動して、ケース１０の内周面、および中間シリンダ２１の外周面と、補助ピン３３の上側の面とが一致せず、中間シリンダ２１の内周面と、全ての補助ピン６２の下側の面とが一致すると共に、ドライバピン３４の上側の面が一致することによりラインＬ2が形成される。
【００３２】
その結果、ケース１０に対して、中間シリンダ２１は固定されると共に、中間シリンダ２１に対して、内周シリンダ２２は回動可能になる。
【００３３】
従って、図４で示されるように矢印９２の方向（時計回り、または反時計回りの方向）に鍵Ｋ1を１８０°回動させることで内周シリンダ２２だけが１８０°回動し、図４に示す状態になる（ケース１０および中間シリンダ２１に対して、内周シリンダ２２が反転した状態になる）。
【００３４】
図４で示される状態において、ドライバピン孔５１−１乃至５１−８のそれぞれには、図中の上から順に、タンブラ６３、５つの可変ピン６４、ドライバピン６５、およびバネ６６が配置されることになる。
【００３５】
図５は、鍵Ｋ1を矢印１０１の方向に引き抜く様子を表している。
【００３６】
図６は、鍵Ｋ1を引き抜いたシリンダ錠１の状態を表している。すなわち、図６で示されるように鍵Ｋ1を引き抜くとドライバピン孔５１−１乃至５１−８において、バネ６６の付勢力により、タンブラ６３、５つの可変ピン６４、およびドライバピン６５は、図中の上側に移動し、タンブラ６３が、内周シリンダ２２の円筒状の孔の細くなった部分に当接することによって、位置決めされる。すなわち、タンブラ６３、５つの可変ピン６４、およびドライバピン６５は、ドライバピン孔５１−１乃至５１−８のそれぞれに対して、同じ位置に配置されることになる。
【００３７】
図７で示されるように、図６で示される状態のシリンダ錠１のキーコードを変更するため、新たな鍵Ｋ2が、矢印１１１の方向に移動されシリンダ錠１に挿入される。これにより、各タンブラ６３は、鍵Ｋ2の位置決め面１２１−１乃至１２１−８（図７では、位置決め面１２１−３乃至１２１−６の符号を省略している）のいずれかに当接することによって、内周シリンダ２２に対する、各タンブラ６３の位置が変化する。
【００３８】
この状態で、図８で示されるように鍵Ｋ2を矢印１３１の方向（時計回り、または反時計回りの方向）に１８０°回動させることで、ケース１０および中間シリンダ２１に対して、内周シリンダ２２のみが１８０°回動し、反転する。このとき、５つの可変ピン６４のうち、図７のラインＬ2に対して、内側に位置している（内周シリンダ２２側に位置している）可変ピン６４だけが内周シリンダ２２とともに、回動し、図８に示す状態に移行する。
【００３９】
さらに、図８における、矢印１３２で示される方向にリセットボタン３１がバネ３５の付勢力によって戻されることで、ラインＬ2とドライバピン３４の上面とが一致しなくなるので、中間シリンダ２１と内周シリンダ２２とが固定される。
【００４０】
図９は、矢印１４１で示される方向に鍵Ｋ2が引き抜かれる、シリンダ錠１を表している。
【００４１】
図１０は、鍵Ｋ2が引き抜かれ、キーコードが変更されたシリンダ錠１を表している。
【００４２】
図１で示される、ドライバピン孔４１−１乃至４１−８のそれぞれにおける可変ピンの数と、図１０で示される、ドライバピン孔４１−１乃至４１−８のそれぞれにおける可変ピンの数とが異なり、シリンダ錠１のキーコードが変更されることになる。
【００４３】
以上にようにして、図１０に示されるように従来のシリンダ錠１のキーコードは変更されていた。
【００４４】
また、筒状に形成され内周面に傾斜面で接続する係合凹部が形成されるケースと、ケースに回動可能に挿入され、前面に開口する鍵孔と、鍵孔に交叉するタンブラ孔と、タンブラ孔の一方の内壁面を貫通するサイドバー収容孔と、タンブラ孔の他方の内壁面を貫通するレトラクタ収容孔と、後部に形成される小径部に設けられるリセットピン挿入孔とを有するプラグと、ケースと小径部との間に回動可能に挿入される筒部にリセットピン挿入孔と重なる切欠部が形成され、後端部に形成される軸部に施錠カムを有するジョイントカムと、リセットピン挿入孔に挿入され、ジョイントカムの切欠部に突出する方向に付勢され、外部から操作可能なリセットボタンに当接するリセットピンと、レトラクタ収容孔に挿入され、端部に形成された係合突起が係合凹部に係合するレトラクタと、サイドバー収容孔に挿入され、先端部が係合凹部に係合する方向にばねにより付勢されるサイドバーと、タンブラ孔に挿入され、一方にキーに係合するキー係合溝と、鋸歯状の噛合部が設けられ、他方の面がレトラクタに滑り接触する可変タンブラと、タンブラ孔に挿入され、一方にサイドバー係合溝が設けられ、他方に噛合部に係脱する被噛合部が設けられるタンブラプレートとにより構成されるシリンダ錠もある（例えば、特許文献１参照）。このシリンダ錠においては、キーコード変更時に、初期設定キーによりプラグのみを１８０度回動した際に、レトラクタの係合突起がケースの係合凹部に一致し、レトラクタはばねにより係合突起が係合凹部に係入する方向に移動する。
【００４５】
このシンリンダ錠においては、図１１に示されるように、鍵１６５の形状と可変タンブラ１６２の形状が一致すると、可変タンブラ１６２が図中右側に移動し、可変タンブラ１６２と当接しているレトラクタ１６４も図中右側に移動することにより、レトラクタ１６４の突部１６４ａとケース１６１の凹部１６１ａの係合が解除され、ケース１６１に対して、シリンダの内周部分が回動可能な状態となる。
【００４６】
さらに、施錠または解錠が容易で確実に行うことができ、施錠状態において、前面枠の自由端側を無理に持ち上げようとしてもできず、遊技機に対する不正な操作等がなされることを防止することも提案されている（例えば、特許文献２参照）
【特許文献１】特開平７−２６９１８９号公報
【００４７】
【特許文献２】特開２０００−２１０４６０号公報
【発明の開示】
【発明が解決しようとする課題】
【００４８】
しかしながら、図１１に示されるようなシリンダにおいては、シリンダの内周部分が回動する場合、可変タンブラ１６２の先端の鋸歯状の噛合部１６２ａが、タンブラプレート１６３の先端の被噛合部１６３ａと噛合し、シリンダの内周部分が回動するように構成されている。このため、噛合部１６２ａおよび被噛合部１６３ａに回動するときの負荷がかかり、このシリンダを長期間使用すると、正常に開施錠動できなくなる恐れがあった。
【００４９】
また、遊技場に設置されているスロット遊技台などの遊技機は、通常シリンダ錠を開錠することにより、エラーがリセットされ、また、ゲームに必要なメダルの補給または回収が行われる。したがって、鍵穴に異物が挿入されてキー操作が不可能となった場合（鍵をシリンダ錠に挿入できなくなった場合）、シリンダ錠を開錠する鍵が破損した場合、紛失した場合などは、スロット遊技台６００を利用したゲームの継続ができなくなり、遊技場の営業に支障がでる恐れがあった。
【００５０】
さらに、従来のキーコードの変更可能なシリンダ錠では、シリンダ錠を構成する構成部品の数が多く、そのためコストが高くなったり、大型化して、大きな取り付けスペースが必要になってしまうという課題があった。
【００５１】
また、シリンダ錠を、従来の部品点数を減らす構成としても、広く流通しているシリンダ錠の鍵であって、一方の面の位置でキーコードが特定されるもの（例えば、すり鉢形状の溝（キーコード）が設けられている鍵）では、シリンダ錠を施錠若しくは開錠し、またはシリンダ錠のキーコードを変更することができないという課題があった。
【００５２】
本発明は、このような状況に鑑みてなされたものであり、キーコードを変更できる小型で安価なシリンダ錠であって、鍵穴に異物が挿入されてキー操作が不可能となった場合、鍵が破損した場合、紛失した場合なども開錠することができるシリンダ錠を提供できるようにするものである。
【課題を解決するための手段】
【００５３】
本発明によるシリンダ錠は、挿入された鍵のキーコードに対応する面に開閉プレートが当接することによって、サイドバーの移動を規制することにより施錠するか、または開錠する動作が決定されるシリンダと、シリンダの外側を覆うカバーとを有するシリンダ錠において、カバーの表面に、鍵の挿入方向の所定の位置においてカバーの表面を一周する切込みが設けられていることを特徴とする。
【００５４】
切込みは、治具を用いて充分強く回転させたときだけカバーが破壊されるように設定される。
【００５５】
本発明によるシリンダ錠においては、挿入された鍵のキーコードに対応する面に開閉プレートが当接することによって、サイドバーの移動を規制することにより施錠するか、または開錠する動作が決定されるシリンダの外側を覆うカバーの表面に、鍵の挿入方向の所定の位置においてカバーの表面を一周する切込みが設けられる。
【００５６】
従って、鍵穴に異物が挿入されてキー操作が不可能となった場合、鍵が破損した場合、紛失した場合なども、カバーを破壊して、サイドバーを取り外すことによりシリンダ錠を開錠することができる。
【００５７】
前記カバーの鍵が挿入される面に、予め定められた大きさであって、治具の凸部と嵌合する凹部が設けられているようにすることができる。
【００５８】
前記凹部に、凸部を嵌合させて、所定の力で治具を回動させた場合、カバーが切込みの位置において破断するように前記切込みが設けられているようにすることができる。
【００５９】
破断したカバーの内部のシリンダが取り出され、シリンダからサイドバーが取り外され、サイドバーが取り外されたシリンダがカバーの内部に挿入され、所定の形状であって、任意のキーコードをもつ鍵により開錠されるようにすることができる。
【００６０】
一方の端部がシリンダに係合し、前記シリンダとともに回動する連結軸と、鍵の挿入方向に設けられた、前記連結軸の他方の端部と係合する係合穴を有し、前記連結軸の他方の端部が前記係合穴に挿入された状態で、前記鍵の挿入方向に移動可能に前記連結軸と係合し、前記連結軸とともに回動する出力軸とをさらに含むようにすることができる。
【００６１】
従って、シリンダ錠の鍵の挿入方向である奥行方向の長さを可変にすることができる。
【００６２】
前記カバーは、前記シリンダの外周に設けられた第１の外周カバーと、前記出力軸の外周に設けられた第２の外周カバーと、前記連結軸の外周に設けられた第３の外周カバーとにより構成されるようにすることができる。
【００６３】
第１の外周カバーは、前部外周シリンダであり、第２の外周カバーは、後部外周シリンダであり、第３の外周カバーは、中部外周シリンダである。
【００６４】
前記開閉プレートは、鍵が挿入されたとき、挿入された鍵のキーコードに対応する面に当接することによって、挿入されている鍵のキーコードに対応する面で定まる位置であって、複数の位置決め部分のうちの、１つの位置決め部分と自分の一部とが係合することができる第１の方向の第１の位置に移動させられ、第１の方向に直交し、鍵の挿入の方向と平行な第２の方向の位置が第２の位置または第３の位置に移動可能に設けられたタンブラプレートをさらに含み、タンブラプレートは、サイドバーにより、シリンダの回動位置に応じて、第２の方向の第２の位置または第３の位置に移動させられ、第２の方向の第３の位置に移動している場合、開閉プレートに設けられた第１の方向に並ぶ複数の位置決め部分のうちの、１つの位置決め部分と、自分の一部とが係合することによって、係合している位置決め部分の位置と第１の位置とによって定まる第１の方向の第４の位置に移動させられ、第１の方向の第４の位置によって、サイドバーの第１の方向および第２の方向に直交する第３の方向の移動を規制することにより施錠するか、または開錠する動作を決定し、第２の方向の第３の位置に移動している場合、自分の一部と、開閉プレートに設けられた位置決め部分との係合を解除させられるようにすることができる。
【００６５】
キーコードとは、タンブラプレートの位置の組み合わせである。また、鍵は、いわゆる両面鍵であっても片面鍵であってもよい。
【００６６】
前記タンブラプレートの一部と、開閉プレートに設けられた位置決め部分との係合を解除させることにより、シリンダ錠の開錠に利用される鍵のキーコードを変更することができるようにすることができる。
【００６７】
したがって、シリンダ錠のキーコードを変更でき、鍵の挿入方向に伸縮可能なシリンダ錠を低コストで形成することができる。
【発明の効果】
【００６８】
本発明によれば、シリンダ錠を提供することができる。特に、キーコードを変更できる小型で安価なシリンダ錠であって、鍵穴に異物が挿入されてキー操作が不可能となった場合、鍵が破損した場合、紛失した場合なども開錠することができるシリンダ錠を提供することができる。
【発明を実施するための最良の形態】
【００６９】
以下に、本発明の実施の形態について図面を参照して説明する。
【００７０】
図１２および図１３は、本発明を適用したシリンダ錠１９１の外観の例を示している。図１２は、シリンダ錠１９１の前端部側の外観の斜視図である。図１３は、シリンダ錠１９１の後端部側の外観の斜視図である。
【００７１】
シリンダ錠１９１の、外周シリンダ２０１の内側には、正規の鍵が挿入された場合に、鍵と共に回動する内周シリンダ２０３が設けられている。内周シリンダ２０３が外周シリンダ２０１に配置された状態において、内周シリンダ２０３に設けられた、鍵が挿入される鍵穴２０３ａは、外周シリンダ２０１から外部に露出する。
【００７２】
また、外周シリンダ２０１の後部には、シリンダ錠１９１を固定するための取り付けフランジ２０１aが設けられている。取り付けフランジ２０１ａの上側および下側にそれぞれ、取り付け用のネジなどを貫通させる取り付け用孔２０２−１および２０２−２が設けられている。
【００７３】
外周シリンダ２０１の背面には、背面カバー２１３が嵌着されている。リセットボタン２１１を押圧できるように、外周シリンダ２０１の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。また、ジョイントカム２１２には、図示せぬ施錠カムが取り付けられる軸部２１２ａ、および凸部２１２ｂが設けられている。すなわち、外周シリンダ２０１は、シリンダ錠１９１において、内周シリンダ２０３、および各構成部品を保持するケースとなる。
【００７４】
図１４は、シリンダ錠１９１を、鍵穴２０３ａが正面となるような位置からみた外観を表す図であり、図１５は、図１４に示されるシリンダ錠１９１を、側面からみた外観を表す図である。
【００７５】
次に、図１６乃至図１８を参照して、シリンダ錠１９１の構造を説明する。図１６は、シリンダ錠１９１の構成を示す斜視図である。図１７は、シリンダ錠１９１の縦断面図である。図１８は、図１７のＡ−Ａ線におけるシリンダ錠１９１の縦断面図である。
【００７６】
開閉プレート２３１−１乃至２３１−８のそれぞれは、その内周シリンダ２０３に対する位置によって、内周シリンダ２０３の回動を可能にするか、または回動を抑制するように動作する。開閉プレート２３１−１乃至２３１−８はそれぞれ、後述する係合穴によってタンブラプレート２３３−１乃至２３３−８と係合する。
【００７７】
開閉プレート用バネ２３２−１乃至２３２−８のそれぞれは、一方の端部が開閉プレート２３１−１乃至２３１−８に当接し、他方の端部がバネカバー２３５に当接するように設けられている。そして、開閉プレート２３１−１乃至２３１−８を、シリンダ錠１９１に挿入された鍵の位置決め面に当接するように、付勢する。図１７に示されるように、開閉プレート２３１−１乃至２３１−８および開閉プレート用バネ２３２−１乃至２３２−８は、それぞれ、内周シリンダ２０３の開閉プレート用孔２８１ａ乃至２８１ｈのそれぞれに挿入される。
【００７８】
バネカバー２３５の孔２３５ａは、内周シリンダ２０３の凸部２９１ａに嵌合され、バネカバー２３５の孔２３５ｂは、内周シリンダ２０３の凸部２９１ｂに嵌合されることにより、バネカバー２３５は、内周シリンダ２０３に固定される（図１７）。
【００７９】
サイドバー２５１は、サイドバー用バネ２５２−１および２５２−２によって、外周シリンダ２０１の内面に押圧される。サイドバー２５１には、凸部２５１ａおよび傾斜面を有する凸部２５１ｂ（以下、単に凸部２５１ｂと称する）が設けられている。サイドバー２５１は、外周シリンダ２０１の凹部２０１ｄと噛み合うか、またはその噛み合いが外れることにより、外周シリンダ２０１に対する内周シリンダ２０３の回動を規制する。
【００８０】
図１８に示されるように、サイドバー２５１は、サイドバー用孔２７４に沿って、図中左右の方向に移動可能な構造とされている。シリンダ錠１９１が開錠可能となる状態においては、サイドバー２５１の凸部２５１ａは、タンブラプレート２３３−４の凹部２３３−４ａに嵌合することにより、外周シリンダ２０１の傾斜面を有する凹部２０１ｄ（以下、単に凹部２０１ｄと称する）とサイドバー２５１の凸部２５１ｂとの嵌合が解除され、内周シリンダ２０３は回動可能となる。
【００８１】
一方、シリンダ錠１９１が施錠された状態においては、サイドバー２５１の凸部２５１ａは、２３３−１乃至２３３−８いずれかの、凹部２３３−１ａ乃至２３３−８ａの以外の側面（図１５中の左側の側面）に当接することにより、外周シリンダ２０１の凹部２０１ｄとサイドバー２５１の凸部２５１ｂとの嵌合は解除されず、内周シリンダ２０３は回動不可能となる。
【００８２】
なお、サイドバー２５１は、サイドバー用バネ２５２−１および２５２−２（図１６）により、通常、サイドバー２５１の凸部２５１ｂが、外周シリンダ２０１の凹部２０１ｄと嵌合する方向、すなわち図中左方向に付勢されている。
【００８３】
図１７に示されるように、リセットボタン２１１は、図中の上下方向に移動可能に設けられている。リセットボタン２１１の凸部２１１ａが、ジョイントブロック２４２に当接しており、ジョイントブロック２４２に当接し、ジョイントブロック２４２、およびリセットボタン２１１を図中の上側に付勢するリセット用バネ２４３が、内周シリンダ２０３の孔２８１ｊに配置されている。なお、リセットボタンの詳細については、図４１を参照して後述する。
【００８４】
完全挿入確認バネ３１１は、その尖端部３１１ａがバネとなっており、尖端部３１１ａが内周シリンダ２０３の鍵穴２０３ａに係合する形状とされ、鍵が完全に挿入されていない場合、尖端部３１１ａが鍵穴２０３ａを掛止し、鍵が完全に挿入された場合、尖端部３１１ａと鍵穴２０３ａの掛止が解除されるように装着される。なお、完全挿入確認バネ３１１の詳細は図２４乃至図３３を参照して後述する。
【００８５】
このように、正規の鍵が挿入された場合、ジョイントカム２１２と共に内周シリンダ２０３の回動が可能となり、正規の鍵が挿入されていない場合、内周シリンダ２０３の回動ができないように、シリンダ錠１９１は構成されている。
【００８６】
また、正規の鍵が挿入され、リセットボタン２１１が押圧された場合、ジョイントカム２１２が外周シリンダ２０１に対して固定されたままで、内周シリンダ２０３の回動が可能になる。
【００８７】
次に、図１９Ａ、図１９Ｂ、図２０Ａ、および図２０Ｂを参照して、開閉プレート２３１−４とタンブラプレート２３３−４の関係について詳細に説明する。上述したように、開閉プレート２３１−４とタンブラプレート２３３−４は係合する。このため、開閉プレート２３１−４の図中右側の上部には、３つの穴により構成される係合穴２３１−４ａが設けられており、図中右側の下部には、やはり３つの穴で構成される係合穴２３１−４ｂが設けられている。一方、タンブラプレート２３３−４には、係合穴２３１−４ａのいずれか１つの穴に係合する径をもつ係合ピン２３３−４ｂ、および係合穴２３１−４ｂのいずれか１つの穴に係合する径をもつ係合ピン２３３−４ｃが設けられている。
【００８８】
従って、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合する。そして、開閉プレート２３１−４とタンブラプレート２３３−４が係合することにより、開閉プレート２３１−４とタンブラプレート２３３−４の図中上下方向の位置が決まる。
【００８９】
図１９Ｂは、このように構成される開閉プレート２３１−４とタンブラプレート２３３−４を備えるシリンダ錠１９１の断面図である。
【００９０】
図１９Ａにおいては、係合穴２３１−４ａおよび係合穴２３１−４ｂが、それぞれ独立した３つの穴で構成されるようにしたが、実際には、係合穴２３１−４ａおよび係合穴２３１−４ｂを、それぞれ、図２０Ａに示されるように構成してもよい。
【００９１】
図２０Ａにおいて、係合穴２３１−４ａおよび係合穴２３１−４ｂは、それぞれ独立した３つの穴ではなく、第１番目（図中最上部）の穴の下部と第２番目（図中中間）の穴の上部が当接し、また、第２番目（図中中間）の穴の下部と、第３番目（図中最下部）の穴の上部が当接するように構成されている。
【００９２】
すなわち、図２０Ａの係合穴２３１−４ａおよび係合穴２３１−４ｂは、図１９Ａに示される、それぞれの３つの穴を、図中縦方向に近接させたものであり、このように係合穴２３１−４ａおよび係合穴２３１−４ｂを構成することにより、開閉プレート２３１−４を、図１９Ａの場合と比較して、さらに小型化することができる。また、係合ピン２３３−４ｂおよび係合ピン２３３−４ｃは、やはり、それぞれ係合穴２３１−４ａおよび係合穴２３１−４ｂのいずれか１つの穴に係合するので、開閉プレート２３１−４とタンブラプレート２３３−４の図中上下方向の位置を決めることができる。
【００９３】
ここでは、開閉プレート２３１−４およびタンブラプレート２３３−４を例として説明したが、開閉プレート２３１−１乃至２３１−３、および開閉プレート２３１−５乃至２３１−８、並びにタンブラプレート２３３−１乃至２３３−３、およびタンブラプレート２３３−５乃至２３３−８も、それぞれ開閉プレート２３１−４およびタンブラプレート２３３−４と同様に構成されている。
【００９４】
図２０Ｂは、このように構成される開閉プレート２３１−４とタンブラプレート２３３−４を用いて構成される、シリンダ錠１９１の断面図である。
【００９５】
同図に示されるように、上述した係合穴２３１−４ａおよび係合穴２３１−４ｂ、並びに係合ピン２３３−４ｂおよび係合ピン２３３−４ｃによって、開閉プレート２３１−４とタンブラプレート２３３−４が係合しており、タンブラプレート２３３−４の凹部２３３−４ａの図中上下方向の高さが、サイドバー２５１の凸部２５１ａの図中上下方向の高さと一致している。これは、鍵穴２０３ａに挿入された鍵の形状に従って、開閉プレート２３１−４が図中上下方向に移動し、開閉プレート２３１−４に係合しているタンブラプレート２３３−４が、開閉プレート２３１−４の移動に伴って、図中上下方向に移動した結果であり、鍵の形状によっては、凹部２３３−４ａの図中上下方向の高さが、凸部２５１ａの図中上下方向の高さと一致しない場合もある（鍵の形状については、図２２を参照して後述する）。
【００９６】
上述したように、係合ピン２３３−４ｂおよび係合ピン２３３−４ｃが、それぞれ係合穴２３１−４ａおよび係合穴２３１−４ｂのいずれか１つの穴に係合することにより、開閉プレート２３１−４とタンブラプレート２３３−４が係合し、開閉プレート２３１−４とタンブラプレート２３３−４の図中上下方向の位置が決まる。従って、鍵を挿入したとき、凹部２３３−４ａの図中上下方向の高さを、凸部２５１ａの図中上下方向の高さと一致させるためには、鍵の形状に合わせて、係合ピン２３３−４ｂおよび係合ピン２３３−４ｃを、それぞれ係合穴２３１−４ａおよび係合穴２３１−４ｂのどの穴に係合させるかを決定する必要がある（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）。
【００９７】
すなわち、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂのどの穴に係合させるかが、シリンダ錠１９１を開施錠する鍵を特定する、キーコードとなる。
【００９８】
図２１を参照して、開閉プレート２３１−４とタンブラプレート２３３−４に加えて、サイドバー２５１の関係を詳細に説明する。サイドバー２５１は、タンブラプレート２３３−４が嵌合するタンブラプレート用孔２５１ｃを有しており、タンブラプレート２３３−４は、タンブラプレート用孔２５１ｃに嵌合し、タンブラプレートの面２３３−４ｄが、タンブラプレート用孔２５１ｃに隣接するサイドバー２５１の凸部２５１ｄの図中左側の面と当接するように構成されている。そして、サイドバー２５１が、矢印４５２の方向に移動することにより、タンブラプレート２３３−４の凹部２３３−４ａと、サイドバー２５１のタンブラプレート用孔２５１ｃの中に設けられた凸部２５１ａが嵌合する。
【００９９】
すなわち、サイドバー２５１は、矢印４５２の方向に移動することができるように構成されており、その場合、タンブラプレート２３３−４の位置は変化しない。また、サイドバー２５１が矢印４５１の方向にも移動することができるように構成されており、その場合、タンブラプレート用孔２５１ｃに嵌合しているタンブラプレート２３３−４もサイドバー２５１の移動に伴って、矢印４５１の方向に移動する。
【０１００】
換言すれば、タンブラプレート２３３−４（タンブラプレート２３３−１乃至２３３−８）は、開閉プレート２３１−４（開閉プレート２３１−１乃至２３１−８）の移動に伴って図中上下方向に移動可能であり、サイドバー２５１の移動に伴って、矢印４５１の方向、すなわち、シリンダ錠１９１の鍵の挿入方向にも移動可能となるように構成されている。
【０１０１】
上述したように、係合ピン２３３−４ｂおよび係合ピン２３３−４ｃがそれぞれ係合穴２３１−４ａおよび係合穴２３１−４ｂのいずれか１つの穴に係合するので、開閉プレート２３１−４の面２３１−４ｄとタンブラプレート２３３−４の面２３３−４ｄが当接するように、開閉プレート２３１−４とタンブラプレート２３３−４は係合している。
【０１０２】
サイドバー２５１が矢印４５１の方向に移動する場合、タンブラプレート用孔２５１ｃに嵌合しているタンブラプレート２３３−４は、サイドバー２５１の移動に伴って、矢印４５１の方向に移動するが、開閉プレート２３１−４は、図１７を参照して上述したように、内周シリンダ２０３の開閉プレート用孔２８１ｄに挿入されて固定されているため移動しない。このため、サイドバー２５１が矢印４５１の方向に移動すると、タンブラプレート２３３−４の面２３３−４ｄは、開閉プレート２３１−４の面２３１−４ｄから離れ、その結果、係合ピン２３３−４ｂおよび係合ピン２３３−４ｃと、係合穴２３１−４ａおよび係合穴２３１−４ｂとの係合が解除される。
【０１０３】
このように、係合ピン２３３−４ｂおよび係合ピン２３３−４ｃと、係合穴２３１−４ａおよび係合穴２３１−４ｂとの係合を解除する（係合ピン２３３−１ｂ乃至２３３−８ｂおよび係合ピン２３３−１ｃ乃至２３３−８ｃ、並びに係合穴２３１−１ａ乃至２３１−８ａおよび係合穴２３１−１ｂ乃至２３１−８ｂも、全て同様）ことで、シリンダ錠１９１のキーコードをリセットすることができる。
【０１０４】
なお、同図に示されているように、実際には、係合ピン２３３−４ｂおよび係合ピン２３３−４ｃは、それぞれその尖端部分が序々に細くなるような傾斜を有する構成とされる。また、係合穴２３１−４ａおよび係合穴２３１−４ｂは、それぞれその上部（面２３１−４ｄ側）が序々に広くなるような傾斜を有する構成とされる。このように構成することにより、係合ピン２３３−４ｂおよび係合ピン２３３−４ｃの位置が、それぞれ係合穴２３１−４ａおよび係合穴２３１−４ｂのいずれか１つの穴の位置に、正確に一致していなくても、係合ピン２３３−４ｂおよび係合ピン２３３−４ｃが、それぞれ係合穴２３１−４ａおよび係合穴２３１−４ｂのいずれか１つの穴に、よりスムーズに係合するようにできる。
【０１０５】
このように、本発明のシリンダ錠１９１においては、係合ピン２３３−１ｂ乃至２３３−８ｂおよび係合ピン２３３−１ｃ乃至２３３−８ｃを、それぞれ係合穴２３１−１ａ乃至２３１−８ａおよび係合穴２３１−１ｂ乃至２３１−８ｂと係合させたり、または係合を解除させることにより、簡単にキーコードを設定、またはリセットできる。
【０１０６】
次に図２２を参照して、シリンダ錠１９１に挿入される鍵Ｋ3の例を説明する。図２２は、鍵Ｋ3の外観の例を示す斜視図である。鍵Ｋ3は、ユーザが鍵Ｋ3を回動させる場合に、保持する保持部４１１、およびシリンダ錠１９１に挿入する挿入部４１２により構成されている。挿入部４１２には、３段階の深さ（高さ）を有するすり鉢形状の孔として位置決め面４２１乃至４２８が設けられている。位置決め面４２１乃至４２８の３段階の深さ（高さ）の組み合わせにより、鍵Ｋ3のキーコードが特定される。
【０１０７】
なお、位置決め面４２１乃至４２８は、シリンダ錠１９１に挿入された場合、内周シリンダ２０３に対する、タンブラプレート２３３−１乃至２３３−８のそれぞれの位置を決めることができれば足り、すり鉢形状に限られない。
【０１０８】
図２３を参照して、正規の鍵Ｋ3が挿入されたシリンダ錠１９１について説明する。図２３は、鍵Ｋ3が挿入されたシリンダ錠１９１の縦断面図である。同図に示されるように、シリンダ錠１９１に鍵Ｋ3が挿入されると、開閉プレート２３１−１乃至２３１−８のそれぞれは、位置決め面４２１乃至４２８のそれぞれに当接することによって、３段階の位置（高さ（図２３中の縦方向））のうちの１つの位置に移動する。
【０１０９】
また、同図においては、完全挿入確認バネ３１１の記載が省略されているが、シリンダ錠１９１に鍵Ｋ3が完全に挿入されると、鍵Ｋ3の挿入部４１２の尖端部が完全挿入確認バネ３１１の尖端部３１１ａに当接する。
【０１１０】
図２４乃至図２８を参照して、完全挿入確認バネ３１１と鍵Ｋ3の関係について詳細に説明する。図２４は、完全挿入確認バネ３１１の、内周シリンダ２０３またはジョイントカム２１２に対する取り付け位置を表す斜視図である。同図に示されるように、完全挿入確認バネ３１１は、内周シリンダ２０３とジョイントカム２１２の間に挿入される。上述したように、完全挿入確認バネ３１１は、その尖端部３１１ａがバネとなっており、通常（鍵Ｋ3が完全に挿入されていない場合）、尖端部３１１ａが内周シリンダ２０３の鍵穴２０３ａに入り込むように、バネ（尖端部３１１ａ自身）により付勢されている。
【０１１１】
図２５は、完全挿入確認バネ３１１が装着されたシリンダ錠１９１の縦断面図である。なお、同図は、図２３と同様の縦断面図であるが、図２５において、内周シリンダ２０３は、図２３の状態から１８０°回転した状態とされており、これに伴って、開閉プレート２３１−１乃至２３１−８などが図中下側に表示されている。
【０１１２】
図２６は、図２５における完全挿入確認バネ３１１の周辺（図中円で囲まれた部分）を拡大した図である。同図に示されるように、完全挿入確認バネ３１１が、内周シリンダ２０３とジョイントカム２１２の間に装着されており、尖端部３１１ａは、内周シリンダ２０３の鍵穴２０３ａに係合するため、バネにより付勢されて内周シリンダ２０３の内部（図中左側）に突出している。この状態では、内周シリンダ２０３は、完全挿入確認バネ３１１により掛止（ロック）されるため、ジョイントカム２１２に対して相対的に回転できない。
【０１１３】
図２７は、図２５のシリンダ錠１９１に鍵Ｋ3が挿入された状態を表す縦断面図である。同図に示されるように鍵Ｋ3の挿入部４１２が挿入されると、挿入部４１２の尖端部が完全挿入確認バネ３１１の尖端部３１１ａと当接する。
【０１１４】
図２８は、図２７における完全挿入確認バネ３１１の周辺（図中円で囲まれた部分）を拡大した図である。同図に示されるように、完全挿入確認バネ３１１の尖端部３１１ａは、挿入部４１２の尖端部によって図中右方向に押圧されて、内周シリンダ２０３の内部に突出しない状態になっている。すなわち、尖端部３１１ａと、内周シリンダ２０３の鍵穴２０３ａのロックが解除された状態となっている。この状態であれば、内周シリンダ２０３は、完全挿入確認バネ３１１によるロックが解除されるため、ジョイントカム２１２に対して相対的に回転できる。
【０１１５】
また、上述したように、完全挿入確認バネ３１１の尖端部３１１ａは、図中左から挿入される鍵の挿入部４１２の尖端部により、図中右方向に押圧されるようになっている。従って、シリンダ錠１９１に対して、鍵４１２を完全に（図中右方向一杯に）挿入しないと、尖端部３１１ａと、内周シリンダ２０３の鍵穴２０３ａの係合は解除されない。このため、挿入部４１２を中途半端に挿入しても、完全挿入確認バネ３１１によるロックが解除されず、内周シリンダ２０３は、ジョイントカム２１２に対して相対的に回転できない。
【０１１６】
このように、シリンダ錠１９１は、鍵Ｋ3が完全に挿入された場合、内周シリンダ２０３が回転するように構成されている。このように構成することで、例えば、ピッキングなどによりシリンダ錠１９１が不正に開錠されることを抑止し、また、キーコードを変更するとき、鍵が完全に挿入されていない状態で、その形状が誤って認識され、誤ったキーコードが登録されることを抑止することができる。
【０１１７】
この例では、完全挿入確認バネ３１１の尖端部３１１ａと、挿入部４１２の尖端部が当接するようにシリンダ錠１９１が構成されているが、完全挿入確認バネ３１１の尖端部３１１ａを覆うボタンを設けて、このボタンと、挿入部４１２の尖端部が当接するようにシリンダ錠１９１を構成してもよい。図２９乃至図３３は、完全挿入確認ボタン３１２を設けた場合の、完全挿入確認バネ３１１と鍵Ｋ3の関係を表す図である。
【０１１８】
図２９は、完全挿入確認バネ３１１と完全挿入確認ボタン３１２の、内周シリンダ２０３またはジョイントカム２１２に対する取り付け位置を表す斜視図である。同図は、図２４に対応する図であるが、図２４の場合と異なり、完全挿入確認バネ３１１と、内周シリンダ２０３の間に、完全挿入確認ボタン３１２が装着されている。そして、鍵Ｋ3が完全に挿入されていない場合、完全挿入確認ボタン３１２が内周シリンダ２０３の鍵穴２０３ａに係合するように、バネにより付勢されている。
【０１１９】
図３０は、図２５に対応する縦断面図であり、図３１は、図３０の完全挿入確認ボタン３１２の周辺（図中円で囲まれた部分）を拡大した図である。
【０１２０】
図３１に示されるように、完全挿入確認バネ３１１は、内周シリンダ２０３とジョイントカム２１２の間に装着されており、尖端部３１１ａを覆う完全挿入確認ボタン３１２は、内周シリンダ２０３の鍵穴２０３ａに係合するため、バネ（尖端部３１１ａ）により付勢され、内周シリンダ２０３の内部（図中左側）に突出している。この状態では、内周シリンダ２０３は、完全挿入確認ボタン３１２によりロックされるため、ジョイントカム２１２に対して相対的に回転できない。
【０１２１】
図３２は、図３０のシリンダ錠１９１に鍵Ｋ3の挿入部４１２が挿入された状態を表す縦断面図である。同図に示されるように挿入部４１２が挿入されると、挿入部４１２の尖端部が完全挿入確認ボタン３１２と当接する。
【０１２２】
図３３は、図３２における完全挿入確認ボタン３１２の周辺（図中円で囲まれた部分）を拡大した図である。同図に示されるように、完全挿入確認ボタン３１２は、図中左方向から挿入される鍵の挿入部４１２の尖端部により図中右方向に押圧され、挿入部４１２の尖端部と当接する面が、内周シリンダ２０３の図中右端の面とほぼ同等の位置となるまで、図中右側に移動している。すなわち、完全挿入確認ボタン３１２と、内周シリンダ２０３の鍵穴２０３ａの係合が解除された状態となっている。この状態であれば、内周シリンダ２０３は、完全挿入確認ボタン３１２によるロックが解除されるため、ジョイントカム２１２に対して相対的に回転できる。
【０１２３】
このように構成することで、図２４を参照して上述した場合と同様に、シリンダ錠１９１が不正に開錠されることを抑止し、また、キーコードを変更するとき、誤ったキーコードが登録されることを抑止することができるとともに、鍵が完全に挿入されたか否かをより正確に検知することができる。
【０１２４】
鍵Ｋ3が挿入されたときのシリンダ錠１９１の内部の状態について、さらに詳細に説明する。図３４Ａ、図３４Ｂ、および図３４Ｃのそれぞれは、図２３のＣ−Ｃ線、Ｄ−Ｄ線、およびＥ−Ｅ線におけるシリンダ錠１９１の縦断面図である。
【０１２５】
図３４Ａで示されるように、開閉プレート２３１−３が鍵Ｋ3の挿入部４１２の位置決め面４２３に当接されることで、開閉プレート２３１−３を図中下方向に付勢するバネ２３２−３が縮み、開閉プレート２３１−３が図中上方向に移動すると共に、開閉プレート２３１−３と係合しているタンブラプレート２３３−３の図中上下方向の位置も位置決めされる。すなわち、開閉プレート２３１−３は、鍵Ｋ3の形状に応じて位置決め面４２３の位置が変化する方向である図３４Ａの上下方向に移動可能となるように設けられており、タンブラプレート２３３−３は、係合ピン２３３−３ｂおよび２３３−３ｃが係合穴２３１−３ａおよび２３１−３ｂにそれぞれ係合されているので、開閉プレート２３１−３の上下方向の位置を追従し、その位置が特定されるように設けられている。
【０１２６】
開閉プレート２３１−３は、鍵Ｋ3の挿入部４１２の位置決め面のうち、最も低い位置決め面４２３に当接するが、タンブラプレート２３３−３の係合ピン２３３−３ｂおよび２３３−３ｃは、開閉プレート２３１−３の係合穴２３１−３ａおよび２３１−３ｂのうち、最も高い位置の穴に係合しているので、タンブラプレート２３３−３は、位置決め面４２３に対してより高い位置に配置される。
【０１２７】
その結果、タンブラプレート２３３−３の凹部２３３−３ａの図中の上下方向の位置がサイドバー２５１の凸部２５１ａの図中の上下方向の位置に一致する。
【０１２８】
また、図３４Ｂで示されるように、開閉プレート２３１−５が鍵Ｋ3の挿入部４１２の位置決め面４２５に当接して、図中の上方向に移動されることで、開閉プレート２３１−５と共に、開閉プレート２３１−５と係合しているタンブラプレート２３３−５も上方向に移動される。
【０１２９】
開閉プレート２３１−５は、鍵Ｋ3の挿入部４１２の中間の高さの位置決め面４２５に当接するが、タンブラプレート２３３−５の係合ピン２３３−５ｂおよび２３３−５ｃは、開閉プレート２３１−５の係合穴２３１−５ａおよび２３１−５ｂのうち、中間の高さの穴に係合しているので、タンブラプレート２３３−５は、位置決め面４２５に対して中間の高さの位置に配置される。
【０１３０】
その結果、タンブラプレート２３３−５の凹部２３３−５ａの図中の上下方向の位置がサイドバー２５１の凸部２５１ａの図中の上下方向の位置に一致する。
【０１３１】
さらに、図３４Ｃで示されるように、開閉プレート２３１−７が鍵Ｋ3の挿入部４１２の位置決め面４２７に当接して、図中の上方向に移動されることで、開閉プレート２３１−７と共に、開閉プレート２３１−７と係合しているタンブラプレート２３３−７も上方向に移動される。
【０１３２】
開閉プレート２３１−７は、鍵Ｋ3の挿入部４１２の最も高い位置決め面４２７に当接するが、タンブラプレート２３３−７の係合ピン２３３−７ｂおよび２３３−７ｃは、開閉プレート２３１−７の係合穴２３１−７ａおよび２３１−７ｂのうち、最も低い位置の穴に係合しているので、タンブラプレート２３３−７は、位置決め面４２７に対してより低い位置に配置される。
【０１３３】
その結果、タンブラプレート２３３−７の凹部２３３−７ａの図中の上下方向の位置がサイドバー２５１の凸部２５１ａの図中の上下方向の位置に一致する。
【０１３４】
以上、タンブラプレート２３３−３，２３３−５および２３３−７について説明したが、タンブラプレート２３３−１，２３３−２，２３３−４，２３３−６、および２３３−８も同様に、その凹部２３３−１ａ，２３３−２ａ，２３３−４ａ，２３３−６ａ、および２３３−８ａの位置がサイドバー２５１の凸部２５１ａの位置に一致する。すなわち、シリンダ錠１９１は、正規の鍵Ｋ3の挿入部４１２の形状（位置決め面４２１乃至４２８の高さ）に合わせてキーコードが設定されているので、鍵Ｋ3が挿入された場合、各タンブラプレートの凹部の位置が全てサイドバー２５１の凸部２５１ａの位置と一致する。従って、サイドバー２５１の凸部２５１ａは、内周シリンダ２０３を回動してシリンダ錠１９１を開錠する際には、タンブラプレート２３３−１乃至２３３−８の凹部２３３−１ａ乃至２３３−８ａに挿入されることになる。
【０１３５】
次に、図３５乃至図３９を参照して、シリンダ錠１９１の開錠の詳細について、順を追って説明する。図３５は、鍵Ｋ3が挿入されていない状態の、図１７のＡ−Ａ線におけるシリンダ錠１９１の縦断面図である。同図に示されるように、シリンダ錠１９１には鍵Ｋ3の挿入部４１２が挿入されていないため、開閉プレート２３１−４は、挿入部４１２の位置決め面と当接しておらず、開閉プレート用バネ２３２−４によって、図中下方向に付勢され、開閉プレート２３１−４と共に、開閉プレート２３１−４と係合しているタンブラプレート２３３−４も下方向に付勢されている。その結果、タンブラプレート２３３−４の凹部２３３−４ａの図中の上下方向の位置とサイドバー２５１の凸部２５１ａの図中の上下方向の位置が一致していない。
【０１３６】
図３６は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致しない状態となっており、サイドバー２５１は、開閉プレート２３１−４、およびタンブラプレート２３３−４に対して、後述する図３９の場合と比較して、遠い位置にある（離れている）。
【０１３７】
次に、シリンダ錠１９１に鍵Ｋ3が挿入されると、図３７に示されるように、開閉プレート２３１−４が鍵Ｋ3の挿入部４１２の位置決め面４２４に当接して、図中の上方向に移動されることで、開閉プレート２３１−４と共に、開閉プレート２３１−４と係合しているタンブラプレート２３３−４も上方向に移動される。その結果、タンブラプレート２３３−４の凹部２３３−４ａの図中の上下方向の位置がサイドバー２５１の凸部２５１ａの図中の上下方向の位置に一致する。
【０１３８】
上述したように、正規の鍵Ｋ3が完全に挿入されると、タンブラプレート２３３−４に限らず、タンブラプレート２３３−１乃至２３３−８の全てがそれぞれ移動され、タンブラプレート２３３−１乃至２３３−８の凹部２３３−１ａ乃至２３３−８ａの図中の上下方向の位置が、全てサイドバー２５１の凸部２５１ａの図中の上下方向の位置に一致する。
【０１３９】
この状態で、ユーザが鍵Ｋ3を図中時計回りに回動させると、サイドバー２５１（の凸部２５１ｂ）は、外周シリンダ２０１（凹部２０１ｄ）の形状に沿って、図中右方向に緩やかに押圧される。そして、サイドバー２５１が右方向に移動して、凸部２５１ａがタンブラプレートの凹部２３３−１a乃至２３３−８ａに挿入されることになる。
【０１４０】
すなわち、図３８に示されるように、鍵Ｋ3が回動されることで、外周シリンダ２０１の凹部２０１dとサイドバー２５１の凸部２５１ｂとの嵌合が解除される（内周シリンダ２０３が外周シリンダ２０１に対して回動する状態になる）。
【０１４１】
このとき、開閉プレート２３１−４とタンブラプレート２３３−４が係合する部分である係合穴２３１−４ａおよび係合穴２３１−４ｂと係合ピン２３３−４ｂおよび係合ピン２３３−４ｃには、図中上下方向に、互いに相反する方向に力がかかる（負荷がかかる）が、係合穴２３１−４ａおよび係合穴２３１−４ｂと係合ピン２３３−４ｂおよび係合ピン２３３−４ｃは、前後方向（図中奥行方向）に係合するように構成されているので、回動中に係合が外れる可能性は低く、その結果シリンダ錠１９１の耐久性が向上する。
【０１４２】
図３９は、このときのサイドバー２５１、開閉プレート２３１−４、およびタンブラプレート２３３−４の位置の関係を表す斜視図である。同図においては、タンブラプレート用孔２５１ｃの中で、タンブラプレート２３３−４の凹部２３３−４ａの上下方向の位置とサイドバー２５１の凸部２５１ａの上下方向の位置が一致した状態となっており、サイドバー２５１の凸部２５１ａがタンブラの凹部２３３−１a乃至２３３−８ａに挿入されたため、サイドバー２５１は、開閉プレート２３１−４、およびタンブラプレート２３３−４に対して、図３６の場合と比較して近接している。
【０１４３】
このように、シリンダ錠１９１は、正規の鍵Ｋ3を完全に挿入し、回動させることで開錠することができる。シリンダ錠１９１の開錠を制御する部品は、主に、サイドバー２５１、開閉プレート２３１−１乃至２３１−８、およびタンブラプレート２３３−１乃至２３３−８なので、従来のシリンダ錠に比べて部品数が少なく、シリンダ錠１９１を、簡単かつ耐久性の高い構造にすることができる。
【０１４４】
一方、正規の鍵Ｋ3が完全に挿入されていない場合、シリンダ錠１９１を開錠することはできない。すなわち、正規の鍵以外の鍵を挿入したり、正規の鍵Ｋ3の挿入が完全でないような（鍵Ｋ3を中途半端に挿入したような）場合、図４０に示されるように、開閉プレート２３１−４が挿入された鍵の位置決め面に当接して、図中の上方向に移動されることで、開閉プレート２３１−４と共に、開閉プレート２３１−４と係合しているタンブラプレート２３３−４も上方向に移動されるものの、タンブラプレート２３３−４の凹部２３３−４ａの図中の上下方向の位置がサイドバー２５１の凸部２５１ａの図中の上下方向の位置に一致しない状態になる。
【０１４５】
なお、図４０において、シリンダ錠１９１には正規の鍵Ｋ3以外の鍵が挿入されており、開閉プレート２３１−４は、その鍵の位置決め面（位置決め面４２４とは、図中上下方向の位置が異なる位置決め面）と当接しているものとする。
【０１４６】
この状態で、鍵を回動しようとすると、サイドバー２５１（の凸部２５１ｂ）は、上述した場合と同様に、外周シリンダ２０１（凹部２０１ｄ）の形状に沿って、図中右方向に緩やかに押圧されるが、凸部２５１ａが、タンブラプレート２３３−４の凹部２３３−４ａのやや上の部分に当接してしまい、サイドバー２５１は、図中右側に移動することができない。従って、外周シリンダ２０１の凹部２０１dとサイドバー２５１の凸部２５１ｂとの嵌合が解除されず、鍵を回動させることはできない。
【０１４７】
仮に、その鍵の開閉プレート２３１−４に対応する位置決め面の高さが、偶然適当な位置に設定されており、凹部２３３−４ａの図中の上下方向の位置がサイドバー２５１の凸部２５１ａの図中の上下方向の位置に一致したとしても、正規の鍵Ｋ3を完全に挿入しなければ、凹部２３３−１ａ乃至２３３−８ａのいずれかのうち、少なくとも１つは、サイドバー２５１の凸部２５１ａと、図中の上下方向の位置が一致しない状態になる。
【０１４８】
従って、サイドバー２５１（の凸部２５１ｂ）を図中右方向に押圧しても、タンブラプレート２３３−１乃至２３３−８のいずれかのうち、少なくとも１つは、サイドバー２５１の凸部２５１ａと、その凹部２３３−１ａ乃至２３３−８ａ以外の部分で当接してしまい、サイドバー２５１の凸部２５１ａが、タンブラの凹部２３３−１a乃至２３３−８ａに挿入されず、外周シリンダ２０１の凹部２０１ｄとサイドバー２５１の凸部２５１ｂとの嵌合が外れることがないため内周シリンダ２０３は外周シリンダ２０１に対して回動することができないことになる。
【０１４９】
このように、シリンダ錠１９１は、正規の鍵Ｋ3が完全に挿入されなければ、開錠できないように施錠されている。
【０１５０】
次に、図４１乃至図４６を参照してシリンダ錠１９１のキーコードをリセットするリセット状態への移行について説明する。図４１は、リセットボタン２１１を説明する図である。同図に示されるように、リセットボタン２１１は、図中の上下方向に移動可能に設けられている。リセットボタン２１１の凸部２１１ａは、ジョイントブロック２４２に当接し、ジョイントブロック２４２に当接するリセット用バネ２４３は、内周シリンダ２０３の孔２８１ｊに配置される。リセット用バネ２４３は、ジョイントブロック２４２、およびリセットボタン２１１を図中の上側に付勢する。
【０１５１】
リセットボタン２１１が図中の下方向に押圧されていない状態においては、ジョイントブロック２４２が、内周シリンダ２０３の孔２８１ｊに挿入され、嵌合されると共に、ジョイントブロック２４２は、ジョイントカム２１２の凹部２１２ｃと嵌合する。従って、リセットボタン２１１が図中の下方向に押圧されていない状態においては、内周シリンダ２０３にジョイントカム２１２が固定される。
【０１５２】
一方、リセットボタン２１１が図中の下方向に押圧された場合、ジョイントブロック２４２が、図中の下方向に移動し、リセットボタン２１１がジョイントカム２１２に嵌合する。そして、ジョイントブロック２４２の上側の面と、ジョイントカム２１２の内周の面とが一致することにより、外周シリンダ２０１に対して、内周シリンダ２０３は回動自在となるとともに、ジョイントカム２１２は、外周シリンダ２０１に固定される。
【０１５３】
図４２Ａは、正規の鍵Ｋ3が挿入され、リセットされていないシリンダ錠１９１について、図１７の図中上方向からみた断面図である。図４２Ｂは、図４２ＡのＦ−Ｆ線におけるシリンダ錠１９１の縦断面図である。
【０１５４】
図４２Ａに示されるように、開閉プレート２３１−１乃至２３１−８は、タンブラプレート２３３−１乃至２３３−８と係合されており、図４２Ｂに示されるように、正規の鍵Ｋ3が挿入されることで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。
【０１５５】
シリンダ錠１９１をリセットする場合、リセットボタン２１１を押下した状態で、鍵Ｋ3を回動させる。すなわち、シリンダ１９１を開錠する場合と同様に、外周シリンダ２０１の凹部２０１dとサイドバー２５１の凸部２５１ｂとの嵌合が解除され、内周シリンダ２０３が外周シリンダ２０１に対して回動するが、シリンダ１９１を開錠する場合と異なり、リセットボタン２１１がジョイントカム２１２に嵌合しているため、ジョイントカム２１２は、外周シリンダ２０１に固定され、回動しない。
【０１５６】
図４３は、図４２Ａに示される状態から、リセットボタン２１１を押下して、鍵Ｋ3を１８０°回動させた状態を表す図である。同図においては、内周シリンダ２０３の回動に伴って、開閉プレート２３１−１乃至２３１−８、タンブラプレート２３３−１乃至２３３−８、およびサイドバー２５１も回動している。すなわち、図４２Ａにおいて、タンブラプレート２３３−１乃至２３３−８およびサイドバー２５１は、図中左側に表示されているが、図４３において、タンブラプレート２３３−１乃至２３３−８およびサイドバー２５１は、図中右側に表示されている。なお、開閉プレート２３１−１乃至２３１−８は、図４２Ａの状態から、その上下が逆転した状態となっている。
【０１５７】
サイドバー２５１は、サイドバー２５１の図４３中上方向の端部に当接するように装着されたサイドバー前後移動用バネ２５２−３により図４３中下方向に付勢される。さらにジョイントカム２１２は、図４３中左側の端部２１２ｄに対して、図４３中右側の端部２１２ｅの方が下方向に突出するように構成されており、ジョイントカム２１２の端部に、図４３中上側の端部を当接させながら回動するサイドバー２５１は、サイドバー前後移動用バネ２５２−３とジョイントカム２１２端部２１２ｅにより図４３中下方向に付勢され、サイドバー２５１全体が、図４３中下方向に移動する。その結果、サイドバー２５１の図４３中下側の端部２５１ｄが、外周シリンダ２０１の凹部２０１ｅに嵌合する。
【０１５８】
このとき、図２１を参照して上述したように、サイドバー２５１のタンブラプレート用孔２５１ｃに嵌合しているタンブラプレート２３３−１乃至２３３−８もサイドバー２５１の移動に伴って、図４３中下方向に移動する。そして、タンブラプレート２３３−１乃至２３３−８の面２３３−１ｄ乃至２３３−８ｄは、開閉プレート２３１−１乃至２３１−８の面２３１−１ｄ乃至２３１−８ｄから離れ、係合ピン２３３−１ｂ乃至２３３−８ｂおよび係合ピン２３３−１ｃ乃至２３３−８ｃと、係合穴２３１−１ａ乃至２３１−８aおよび係合穴２３１−１ｂ乃至２３１−８ｂとの係合が解除される。
【０１５９】
図４４Ａ、図４４Ｂ、図４５Ａ、および図４５Ｂを参照して、サイドバー２５１の移動に伴って、開閉プレート２３１−１乃至２３１−８とタンブラプレート２３３−１乃至２３３−８の係合が解除される様子を説明する。
【０１６０】
図４４Ａは、開閉プレート２３１−４とタンブラプレート２３３−４の係合が解除されていない状態の、サイドバー２５１の位置を表す斜視図である。同図において、サイドバー２５１（内周シリンダ２０３）は、その端部２５１ｄが、図４３の外周シリンダ２０１の凹部２０１ｅに嵌合する位置まで回動されていないものとする。
【０１６１】
図４４Ｂは、図４４Ａを矢印４９１の方向からみた図である。同図に示されるように、タンブラプレート２３３−４の係合ピン２３３−４ｂおよび２３３−４ｃが開閉プレート２３１−４の係合穴２３１−４ａおよび係合穴２３１−４ｂと係合し、その結果、開閉プレート２３１−４の面２３１−４ｄとタンブラプレート２３３−４の面２３３−４ｅとがほぼ当接している。
【０１６２】
図４５Ａは、図４４Ａに示される状態から、内周シリンダ２０３がさらに回動され、サイドバー２５１の端部２５１ｄが、図４３の外周シリンダ２０１の凹部２０１ｅに嵌合する位置となった状態を表す斜視図である。同図においては、サイドバー２５１が、矢印５１１で示される方向に移動しており、サイドバー２５１の移動に伴って、タンブラプレート２３３−４も矢印５１１で示される方向に移動している。これに対して、開閉プレート２３１−４は移動していない。
【０１６３】
図４５Ｂは、図４５Ａを図４５Ａの矢印４９２の方向からみた図である。同図に示されるように、サイドバー２５１の移動に伴って、タンブラプレート２３３−４も図中右方向に移動したため、開閉プレート２３１−４の面２３１−４ｄからタンブラプレート２３３−４の面２３３−４ｅが離れ、係合ピン２３３−４ｂおよび２３３−４ｃと、開閉プレート２３１−４の係合穴２３１−４ａおよび係合穴２３１−４ｂとの係合が解除されている。
【０１６４】
図４４Ａ、図４４Ｂ、図４５Ａ、および図４５Ｂにおいては、例として、開閉プレート２３１−４とタンブラプレート２３３−４との係合が解除される様子を説明したが、開閉プレート２３１−１乃至３とタンブラプレート２３３−１乃至３の係合、および開閉プレート２３１−５乃至８とタンブラプレート２３３−５乃至８の係合も同様にして解除される。
【０１６５】
この状態で、鍵Ｋ3をシリンダ錠１９１から引き抜くと、リセットが完了する。
【０１６６】
図４６は、図４３のＧ−Ｇ線におけるシリンダ錠１９１の縦断面図である。図４６において、鍵Ｋ3はシリンダ錠１９１から引き抜かれたものとする。同図に示されるように、鍵Ｋ3が引き抜かれたことにより、開閉プレート２３１−４（開閉プレート２３１−１乃至２３１−８も同様）は、開閉プレート用バネ２３２−４により付勢され、図中上方向に移動する。一方、タンブラプレート２３３−４は、凹部２３３−４ａがサイドバー２５１の凸部２５１ａに嵌合して固定されているため移動しない。このとき、開閉プレート２３１−４は、係合穴２３１−４ａおよび係合穴２３１−４ｂのいずれの穴の位置も、タンブラプレート２３３−４の係合ピン２３３−４ｂおよび２３３−４ｃの位置と一致しない状態となるまで、図中上方向に移動する。
【０１６７】
このようにして、シリンダ錠１９１に設定されていた鍵Ｋ3に対応するキーコードがリセットされる。
【０１６８】
次に、シリンダ錠１９１のキーコードを、新しい鍵Ｋ4に対応するキーコードに変更する操作について説明する。キーコードを変更する場合、鍵Ｋ3をシリンダ錠１９１から引き抜いた後、新しい鍵Ｋ4をシリンダ錠１９１に挿入し、鍵Ｋ4を回動させる。
【０１６９】
図４７Ａは、図４３に示される状態から、鍵Ｋ3が引き抜かれ、新しい鍵（例えば、鍵Ｋ4）が挿入された状態を表す図である。図４７Ｂは、図４７ＡのＨ−Ｈ線におけるシリンダ錠１９１の縦断面図である。図４７Ｂに示されるように、鍵Ｋ4が挿入されたことにより、開閉プレート２３１−４（開閉プレート２３１−１乃至２３１−８も同様）が、鍵Ｋ4の所定の位置決め面に当接することにより図中下方向に移動する。この例では、開閉プレート２３１−４は、係合穴２３１−４ａおよび係合穴２３１−４ｂの図中最も下側の穴の位置が、タンブラプレート２３３−４の係合ピン２３３−４ｂおよび２３３−４ｃの位置と一致する状態となるまで、図中下方向に移動している。
【０１７０】
この状態で、鍵Ｋ4を反時計回り（時計回りでもよい）に回動させることによりシリンダ錠１９１のキーコードは変更される。図４７Ａにおいて、鍵Ｋ4を反時計回り（時計回りでもよい）に回動させるとき、サイドバー２５１は、外周シリンダの凹部２０１ｅの形状に従って、図中上方向に緩やかに押圧され、内周シリンダ２０３（鍵Ｋ4）の回動に伴って、図中上方向に移動する。これにより、図４４Ａ、図４４Ｂ、図４５Ａ、および図４５Ｂを参照して上述した場合とは逆に、サイドバー２５１の移動に伴って、開閉プレート２３１−１乃至２３１−８とタンブラプレート２３３−１乃至２３３−８が係合する。
【０１７１】
図４８Ａは、図４７Ａに示される状態から、鍵Ｋ4（内周シリンダ２０３）を反時計回り（時計回りでもよい）に１８０°回動させた状態を表す図である。同図において、内周シリンダ２０３の回動に伴って、開閉プレート２３１−１乃至２３１−８、タンブラプレート２３３−１乃至２３３−８、およびサイドバー２５１も回動している。すなわち、図４７Ａにおいて、タンブラプレート２３３−１乃至２３３−８およびサイドバー２５１は、図中右側に表示されているが、図４８Ａにおいて、タンブラプレート２３３−１乃至２３３−８およびサイドバー２５１は、図中左側に表示されている。なお、開閉プレート２３１−１乃至２３１−８は、図４７Ａの状態からその上下が逆転した状態となっている。そして、サイドバー２５１が図中上方向に移動したことに伴って、開閉プレート２３１−１乃至２３１−８と、タンブラプレート２３３−１乃至２３３−８が、鍵Ｋ4の位置決め面に合わせた状態に係合されている。
【０１７２】
また、リセット用バネ２４３の付勢力によってリセットボタン２１１が図４１の上方向に戻り、再び内周シリンダ２０３とジョイントカム２１２がジョイントブロック２４２を介して固定される。
【０１７３】
図４８Ｂは、図４８ＡのＩ−Ｉ線におけるシリンダ錠１９１の縦断面図である。同図に示されるように、鍵Ｋ4が挿入されたことで、タンブラプレート２３３−４（タンブラプレート２３３−１乃至２３３−８も同様）は、タンブラプレート２３３−４の凹部２３３−４ａの図中の上下方向の位置がサイドバー２５１の凸部２５１ａの図中の上下方向の位置に一致するように位置決めされている。すなわち、シリンダ錠１９１のキーコードが、新しい鍵Ｋ4に対応するキーコードに変更されている。
【０１７４】
サイドバー２５１は、サイドバー左右移動用バネ２５２−１および２５２−２により図中左方向に付勢されるため、外周シリンダ２０１の凹部２０１dとサイドバー２５１の凸部２５１ｂが嵌合し、サイドバー２５１は、図中左の方向に移動する。これにより、サイドバー２５１の凸部２５１ａとタンブラプレート２３３−４の凹部２３３−４ａの嵌合が解除される。
【０１７５】
この状態で、鍵Ｋ4をシリンダ錠１９１から引き抜くと、キーコードの変更が完了する。タンブラプレート２３３−１乃至２３３−８は、鍵Ｋ4の位置決め面に基づいて、その凹部２３３−１ａ乃至２３３−８ａの図中の上下方向の位置がサイドバー２５１の凸部２５１ａの図中の上下方向の位置に一致するように位置決めされているので、キーコードの変更が完了した後、シリンダ錠１９１は、鍵Ｋ4以外の鍵では開錠できないようになる。
【０１７６】
このようにしてシリンダ錠１９１のキーコードが変更される。
【０１７７】
次に、図４９乃至図５２を参照して、シリンダ錠１９１の中で、鍵が挿入される内周シリンダ２０３の内部構造の詳細について説明される。
【０１７８】
図４９は、内周シリンダ２０３の外観を表す図であり、図５０は、図４９の斜線で示される面５５１に沿って内周シリンダ２０３を切断した場合の断面図である。上述したように、ユーザは、鍵（例えば、鍵Ｋ3）を内周シリンダの鍵穴２０３ａに挿入する。このとき、鍵Ｋ3の挿入部４１２は、その尖端が図中左側（シリンダ錠１９１において鍵穴２０３ａが露出する側）から、図中右側（ジョイントカム２１２側）に向かって挿入される。なお、図５０では、完全挿入確認バネ３１１の記載を省略している。
【０１７９】
図５１は、図５０の内周シリンダ２０３の図中右側の端部付近（図中円で囲まれた部分）を拡大した図である。同図に示されるように、内周シリンダ２０３の内側の面（鍵Ｋ3の挿入部４１２と当接する側の面）におけるジョイントカム２１２側の図中上側に位置する端部２０３ｂは、図中右側に向かって下がる傾斜を有している。端部２０３ｂの傾斜は、鍵Ｋ3の挿入部４１２の尖端部の形状に合わせて形成されており、鍵Ｋ3が内周シリンダの鍵穴２０３ａに完全に挿入されたとき、挿入部４１２の尖端部が端部２０３ｂと当接する。
【０１８０】
また、図５１には記載が省略されているが、端部２０３ｂと対面するように、内周シリンダ２０３の内側の面（鍵Ｋ3の挿入部４１２と当接する側の面）におけるジョイントカム２１２側の図中下側に位置する端部２０３cも、鍵Ｋ3の挿入部４１２の尖端部の形状に合わせて、図中右側に向かって上がる傾斜を有している。従って、鍵Ｋ3が内周シリンダの鍵穴２０３ａに完全に挿入されたとき、挿入部４１２の尖端部が、端部２０３ｂと端部２０３ｃに挟まれるようにして止まる。
【０１８１】
図５２は、鍵Ｋ3が完全に挿入されたときのシリンダ錠１９１の断面図である。同図に示されるように、挿入部４１２の尖端部が、端部２０３ｂと端部２０３ｃに挟まれるように当接している。
【０１８２】
内周シリンダ２０３の内部をこのように構成することで、完全に挿入された鍵Ｋ3は、挿入部４１２の尖端部が、端部２０３ｂと端部２０３ｃにより挟まれて止まるので、内周シリンダ２０３の中で、挿入部４１２の図中上下方向の高さが一定に保持される。その結果、開閉プレート２３１−１乃至２３１−８は、それぞれ挿入部４１２の所定の位置決め面と正確に当接し、シリンダ錠１９１の開施錠の動作の安定性を向上させることができる。
【０１８３】
すなわち、内周シリンダ２０３の内側の面に設けられた端部２０３ｂと２０３ｃは、シリンダ錠１９１に挿入された鍵の振れを防止して、鍵の位置を安定させる振れ止め機構として機能する。
【０１８４】
ところで、完全挿入確認バネ３１１、または完全挿入確認ボタン３１２を用いてシリンダ錠１９１に鍵が完全に挿入されたか否かを検知する方法については、図２４乃至図３３を参照して上述したが、シリンダ錠１９１に鍵が完全に挿入されたか否かをさらに別の方法で検知することもできる。図５３は、シリンダ錠１９１に鍵が完全に挿入されたことを検知する完全挿入確認プレート３１３を用いて、シリンダ錠１９１を構成する例を示す図である。
【０１８５】
図５３に示されるように、内周シリンダ２０３の、ジョイントカム２１２と当接する面に近い位置（図中右側）に、完全挿入確認プレート用孔２０３ｄが設けられており、完全挿入確認プレート用孔２０３ｄに完全挿入確認プレート３１３が装着される。
【０１８６】
完全挿入確認プレート用孔２０３ｄは、内周シリンダ２０３のジョイントカム２１２と当接する面に近い位置、すなわち、鍵Ｋ3が完全に挿入されたとき、挿入部４１２の尖端部と当接する端部２０３ｂと端部２０３ｃが位置する部分に、完全挿入確認プレート３１３を、鍵Ｋ3の挿入方向と直交する方向に装着できるように設けられている。完全挿入確認プレート用孔２０３ｄは、同図には示されていないが、内周シリンダ２０３を、図中下方向に向かって貫通している。完全挿入確認プレート３１３は、図中上側の端部３１３ａが、挿入された鍵Ｋ3の挿入部４１２の尖端部と当接し、図中下側の端部３１３ｂが、内周シリンダ２０３を貫通して、外周シリンダ２０１の一部と係合するように装着される。
【０１８７】
完全挿入確認プレート用バネ３１４は、その端部３１４ａが内周シリンダの凹部２０３ｅに嵌合するように装着され、完全挿入確認プレート３１３を図中下方向に付勢する。
【０１８８】
図５４は、完全挿入確認プレート３１３が装着されたシリンダ錠１９１の縦断面図である。同図に示されるように、内周シリンダ２０３の端部２０３ｂにおいて、鍵穴２０３ａの図中奥行方向の後ろ側（裏側）に設けられた完全挿入確認プレート用孔２０３ｄに装着された完全挿入確認プレート３１３の端部３１３ａが、完全挿入確認プレート用バネ３１４により付勢されて図中下方向に向かって鍵穴２０３ａの中に突出している。
【０１８９】
図５５は、図５４のＪ−Ｊ線におけるシリンダ錠１９１の縦断面図である。同図に示されるように、完全挿入確認プレート３１３は、完全挿入確認プレート用孔２０３ｄに沿って、図中上下方向（鍵Ｋ3の挿入方向と直交する方向）に移動可能となるように装着されている。完全挿入確認プレート３１３は、鍵Ｋ3が完全に挿入されていない場合、完全挿入確認プレート用バネ３１４により付勢されて図中下方向の端部３１３ｂが、外周シリンダ２０１に設けられた係合穴２０１ｅに係合し、図中上方向の端部３１３ａ（の一部）が、鍵穴２０３ａの中に突出するように構成されている。この状態では、完全挿入プレート３１３の端部３１３ｂが外周シリンダ２０１の係合穴２０１ｅに係合してロックされているため、内周シリンダ２０３を、外周シリンダ２０１に対して回動させることができない。
【０１９０】
シリンダ錠１９１に鍵Ｋ3が挿入されるとき、挿入部４１２が、図５４の図中左方向から右方向に向かって挿入され、その尖端部を完全挿入確認プレート３１３の端部３１３ａと当接させながら、尖端部が内周シリンダ２０３の端部２０３ｂと２０３ｃに当接するまで、さらに右方向に挿入されていく。その結果、完全挿入確認プレート３１３の端部３１３ａは、挿入部４１２が図５４中右方向に挿入されるのに伴って、図５５（図５４）中上方向に押圧され、完全挿入確認プレート３１３全体が、図５５中上方向に移動する。
【０１９１】
図５６は、鍵Ｋ3が完全に挿入されたシリンダ錠１９１の縦断面図である。鍵Ｋ3の挿入部４１２の尖端部は、図中右側から左側に向かって序々に広がっていく傾斜を有する形状とされているので、最初に完全挿入プレート３１３の端部３１３ａの図中下側に当接した挿入部４１２の尖端部は、図中右方向に挿入されていくとき、その形状（傾斜）に従って、端部３１３ａを序々に図中上方向に押圧していく。そして、同図に示されるように、挿入部４１２の尖端部が内周シリンダ２０３の端部２０３ｂおよび２０３ｃと当接する位置まで、図中右方向に挿入されたことに伴い、完全挿入確認プレート３１３の端部３１３ａは、挿入部４１２の尖端部によって押圧され、鍵穴２０３ａの中に突出しない位置まで、
図中上方向に移動している。
【０１９２】
図５７は、図５６のＫ−Ｋ線におけるシリンダ錠１９１の縦断面図である。同図に示されるように、挿入部４１２の尖端部によって、完全挿入確認プレート３１３の端部３１３ａが押圧され、完全挿入確認プレート３１３全体が、矢印５０１の方向（図中上方向）に移動している。その結果、完全挿入プレート３１３の端部３１３ｂと外周シリンダ２０１の係合穴２０１ｅとの係合（ロック）が解除され、内周シリンダ２０３を回動させることができる。
【０１９３】
シリンダ錠１９１をこのように構成することで、シリンダ錠１９１が不正に開錠されることを抑止し、また、鍵が完全に挿入されたか否かをより正確に検知することにより、キーコードを変更するとき、鍵が完全に挿入されていない状態のままキーコードが変更されて、誤ったキーコードが登録されることを抑止することができる。
【０１９４】
上述したように、鍵が完全に挿入されたか否かは、完全挿入確認プレート３１３が、鍵Ｋ3の挿入部４１２の尖端部の傾斜に従って移動することにより検知される。鍵Ｋ3において挿入部４１２の尖端部の最も尖った部分（図５６中最も右側に位置する部分）は、長い期間鍵Ｋ3を使用していると、摩耗して擦り減ってしまう恐れがある。従って、挿入部４１２の尖端部の最も尖った部分が摩耗するのに伴って、挿入部４１２の長さが短くなり、完全挿入確認バネ３１１または完全挿入確認ボタン３１２を用いても、鍵が完全に挿入されたか否かを正確に検知できなくなる恐れがある。そこで、長い期間鍵Ｋ3を使用しても、比較的摩耗するおそれが少ない挿入部４１２の尖端部の傾斜を利用して鍵が完全に挿入されたことを検知する。このようにすることで、摩耗した鍵が挿入された場合であっても、鍵が完全に挿入されたか否かを正確に検知することができる。
【０１９５】
また、挿入部４１２の尖端部のみを利用して鍵が完全に挿入されたことを検知するようにしたことにより、鍵Ｋ3の挿入部４１２の位置決め面４２１乃至４２８のぞれぞれは全て、開閉プレート２３１−１乃至２３１−８の位置を特定するキーコードとして利用することができ、その結果、シリンダ錠１９１のセキュリティを低下させることなく、鍵が完全に挿入されたか否かを正確に検知することができる。
【０１９６】
ところで、遊技場においてシリンダ錠により開施錠される遊技機としては、パチンコ台の他にも、いわゆるスロット遊技台が設置されている場合が多い。スロット遊技台は、メーカや機種によって、鍵の正面（鍵挿入口）が位置する正面扉の正面と、錠前がカム体を介して施錠開錠操作する竿（施錠開錠機構）との距離が異なっている場合が多い。このため、遊技場において使用されるシリンダ錠は、どのスロット遊技台にも利用できるように、その奥行方向の長さが可変であることが望ましい。
【０１９７】
図５８乃至図６１は、奥行方向（鍵の挿入方向）の長さが可変になるように構成されたシリンダ錠１９２の外観の例を示している。図５８は、シリンダ錠１９２の前端部側の外観の斜視図である。図５９は、シリンダ錠１９２の後端部側の外観の斜視図である。
【０１９８】
シリンダ錠１９２の外周のシリンダは、前部外周シリンダ２００、後部外周シリンダ２０４、並びに図６０及び図６１を参照して後述する中部外周シリンダ２０６により構成されている。すなわち、前部外周シリンダ２００、後部外周シリンダ２０４、および中部外周シリンダ２０６は、シリンダ錠１９２において、各構成部品を保持するケースとなる。
【０１９９】
前部外周シリンダ２００には、カシメピン取り付け穴３３１−１が設けられており、この図には示されてしないが、前部外周シリンダ２００において、図中下側のカシメピン取り付け穴３３１−１と対向する位置にカシメピン取り付け穴３３１−２が設けられている。また、後部外周シリンダ２０４には、カシメピン取り付け穴３３２−１が設けられており、この図には示されてしないが、後部外周シリンダ２０４において、図中下側のカシメピン取り付け穴３３２−１と対向する位置にカシメピン取り付け穴３３２−２が設けられている。なお、カシメピンについては、図６２を参照して後述する。
【０２００】
前部外周シリンダ２００の内側には、正規の鍵が挿入された場合に、鍵と共に回動する内周シリンダ２０３が設けられている。内周シリンダ２０３が前部外周シリンダ２００の内部に配置された状態において、内周シリンダ２０３に設けられた、鍵が挿入される鍵穴２０３ａは、前部外周シリンダ２００から外部に露出する。
【０２０１】
後部外周シリンダ２０４の後部には、シリンダ錠１９２を固定するための取り付けフランジ２０４aが設けられている。取り付けフランジ２０４ａの上側および下側にそれぞれ、取り付け用のネジなどを貫通させる取り付け用孔２０５−１および２０５−２が設けられている。
【０２０２】
後部外周シリンダ２０４の背面には、背面カバー２１３が嵌着されている。また、必要に応じてリセットボタン２１１を押圧（押下）できるように、後部外周シリンダ２０４の背面からリセットボタン２１１、およびジョイントカム２１２の一部が露出するように、リセットボタン２１１、およびジョイントカム２１２が設けられている。ジョイントカム２１２は、背面カバー２１３のジョイントカム用孔２１３ａを貫通している。さらに、ジョイントカム２１２には、図示せぬ施錠カムが取り付けられる軸部２１２ａが設けられている。
【０２０３】
図６０および図６１は、図５８および図５９のシリンダ錠１９２の奥行方向の長さを伸長させた場合の外観の例を示している。図６０および図６１においては、図５８および図５９と比較してシリンダ錠１９２の長さが奥行方向（鍵の挿入方向）に伸長されており、その結果、図５８および図５９においては、後部外周シリンダ２０４の内側に隠れていた中部外周シリンダ２０６が、前部外周シリンダ２００と後部外周シリンダ２０４の間から外部に露出している。
【０２０４】
図６２は、シリンダ錠１９２の構成を示す斜視図である。同図に示されるように、前部外周シリンダ２００の内部に内周シリンダ２０３が装着されるように構成されている。
【０２０５】
内周シリンダ２０３の内部には、図１６を参照して上述した場合と同様に、その内周シリンダ２０３に対する位置によって、内周シリンダ２０３の回動を可能にするか、または回動を抑制するように動作する、開閉プレート２３１−１乃至２３１−８およびタンブラプレート２３３−１乃至２３３−８（図示せず）が装着されており、必要に応じてシリンダ錠１９２（内周シリンダ２０３）の鍵のキーコードをリセットすることができる。また、内周シリンダ２０３の上部には開閉プレート用バネ２３２−１乃至２３２−８（図示せず）が当接するようにバネカバー２３５が装着されている。内周シリンダ２０３にはさらに、図５３を参照して上述した完全挿入確認プレート３１３が装着されるようにしてもよい。なお、内周シリンダ２０３の構成は、上述したものに限られるものではなく、キーコードを変更できる構成をもつものであればよい。
【０２０６】
また、内周シリンダ２０３の後部（図中右側）に当接するように、連結軸２０７が設けられている。連結軸２０７の前端部２０７ａは、円形の面で構成されており、内周シリンダ２０３の後部と当接する。さらに、前端部２０７ａ上に設けられた凸部２０７ｂが、内周シリンダ２０３の後部にある凹部に係合し、連結軸２０７は、内周シリンダ２０３とともに回動するように構成されている。連結軸２０７の軸部２０７ｃは、円柱の外周部分に複数の凸部を有する形状とされており、その断面が出力軸２０８の軸穴２０８ａと同じ形状となるように構成されている。
【０２０７】
また、前部外周シリンダ２００の後部（図中右側）には、中部外周シリンダ２０６が当接するように構成されている。中部外周シリンダ２０６の前部には、複数の凸部２０６ｂと、凸部２０６ｂに挟まれる凹部２０６ｃが設けられており、複数の凸部２０６ｂと、複数の凹部２０６ｃのそれぞれが、前部外周シリンダの後部の内側の面に設けられた凹凸に係合するように構成されている。さらに、中部外周シリンダ２０６の前部には、中部外周シリンダ２０６の外周に沿って枠（段差）２０６ｄが設けられており、枠２０６ｄにより、中部外周シリンダ２０６は、前部外周シリンダ２００に対して前後方向（図中左右の方向）に位置決めされる。
【０２０８】
また、中部外周シリンダ２０６の前部には、カシメピン取り付け用穴２０６ａ―１が設けられており、この図には示されてしないが、中部外周シリンダ２０６において、図中下側のカシメピン取り付け穴２０６ａ−１と対向する位置にカシメピン取り付け穴２０６ａ−２が設けられている。中部内周シリンダ２０６は、カシメピン３５１−１および３５１−２により前部外周シリンダ２００に固定される。すなわち、カシメピン３５１−１および３５１−２のそれぞれは、前部外周シリンダ２００のカシメピン取り付け穴３３１−１および３３１−２を貫通し、中部外周シリンダ２０６の前部に設けられたカシメピン取り付け穴２０６ａ―１および２０６ａ−２に係合するように構成されている。
【０２０９】
なお、この図には示されていないが、カシメピン取り付け穴３３１−１および３３１−２は、それぞれ前部外周シリンダ２００の内側の面に設けられた凸部を貫通するように設けられている。このように、前部外周シリンダ２００の中で厚みを有する部分にカシメピン取り付け穴３３１−１および３３１−２を設けることで、カシメピン３５１−１および３５１−２は、前部外周シリンダ２００（カシメピン取り付け穴３３１−１および３３１−２）によって強く保持（固定）され、その結果中部内周シリンダ２０６を後部外周シリンダ２０４に、より確実に固定することができる。
【０２１０】
中部外周シリンダ２０６の枠２０６ｄの後ろ側（後部外周シリンダ２０４側）には、やはり複数の凸部２０６ｅと、凸部２０６ｅに挟まれる凹部２０６ｆが設けられており、複数の凸部２０６ｅと、複数の凹部２０６ｆのそれぞれが、後部外周シリンダ２０４の内側に設けられた凹凸に係合するように構成されている。
【０２１１】
後部外周シリンダ２０４は、凹凸を有する内部の面に中部外周シリンダ２０６の外側の面、すなわち複数の凸部２０６ｅと、複数の凹部２０６ｆのそれぞれが当接するように構成されているが、一方で後部外周シリンダ２０４の内部に挿入された中部外周シリンダ２０６が完全に固定されない程度に、中部外周シリンダ２０６よりやや大きい径を有するように構成されている。すなわち、中部外周シリンダ２０６は、その外部の面を後部外周シリンダ２０４の内部の面に当接させながら、前後方向（鍵の挿入方向）に移動可能となる。
【０２１２】
これにより、図６０または図６１に示されるように、シリンダ錠１９２の奥行方向の長さを伸長させたり、図５８または図５９に示されるように、シリンダ錠１９２の奥行方向の長さを短縮させることができる。
【０２１３】
また、後部外周シリンダ２０４の前部には、カシメピン取り付け穴３３２−１、および後部外周シリンダ２０４において、カシメピン取り付け穴３３２−１と対向する位置にカシメピン取り付け穴３３２−２が設けられている。そして、中部内周シリンダ２０６は、カシメピン３５２−１および３５２−２により後部外周シリンダ２０４に固定される。すなわち、カシメピン３５２−１および３５２−２のそれぞれは、後部外周シリンダ２０４のカシメピン取り付け穴３３２−１および３３２−２を貫通し、中部外周シリンダ２０６の外部の面に当接し、押圧することにより、中部内周シリンダ２０６を後部外周シリンダ２０４に対して前後方向（鍵の挿入方向）の任意の位置に固定する。
【０２１４】
なお、カシメピン取り付け穴３３２−１および３３２−２は、それぞれ後部外周シリンダ２０４の内側の面に設けられた凸部２０４ｂを貫通するように設けられている。このように、後部外周シリンダ２０４の中で厚みを有する部分にカシメピン取り付け穴３３２−１および３３２−２を設けることで、カシメピン３５２−１および３５２−２は、後部外周シリンダ２０４（カシメピン取り付け穴３３２−１および３３２−２）によって強く保持（固定）され、その結果中部内周シリンダ２０６を後部外周シリンダ２０４に対して前後方向の任意の位置に、より確実に固定することができる。
【０２１５】
出力軸２０８は、前後方向（鍵の挿入方向）の長さが、後部外周シリンダ２０４の前後方向の長さとほぼ同じであり、後部外周シリンダ２０４の内部に挿入される。また、出力軸２０８の軸部２０８ｃは、中部外周シリンダ２０６の内部に挿入可能となるような径を有するように構成されている。
【０２１６】
上述したように、出力軸２０８には、連結軸２０７の軸部２０７ｃの断面とほぼ同じ形状の軸穴２０８ａが設けられており、連結軸２０７の軸部２０７ｃが軸穴２０８ａに係合し、出力軸２０８は、連結軸２０７とともに回動するように構成されている。また、連結軸２０７の軸部２０７ｃは、出力軸２０８の内部に挿入され、出力軸２０８の内部において前後方向（鍵の挿入方向）に移動可能となるように構成されている。なお、連結軸２０７と出力軸２０８の関係については、図６５と図６６を参照して後述する。
【０２１７】
出力軸２０８の後部２０８ｂは、円形の形状を有しており、ジョイントカム２１２の後部内側に係合するように構成されている。また、出力軸２０８の後部２０８ｂには、ジョイントブロック２４２と係合する凹部が設けられている。リセットボタン２１１が押下されていない場合、ジョイントブロック２４２は、ジョイントカム２１２の凹部２１２ｃと嵌合し、ジョイントブロック２４２により、出力軸２０８がジョイントカム２１２に連結（固定）されるので、出力軸２０８が回動されるときジョイントカム２１２を伴って回動されるように構成されている。また、リセットボタン２１１が押下されている場合、ジョイントブロック２４２の、ジョイントカム２１２の凹部２１２ｃとの嵌合が解除され、出力軸２０８が回動されても、ジョイントカム２１２は回動されないように構成されている。
【０２１８】
図６３は、鍵の挿入方向である奥行方向（図中左右の方向）の長さが短縮されている場合のシリンダ錠１９２の鍵が挿入される方向における縦断面図である。同図においてシリンダ錠１９２には、鍵が挿入されていない状態であり、内周シリンダ２０３の開閉プレート用孔２８１ａ乃至２８１ｈのそれぞれに挿入された開閉プレート２３１−１乃至２３１−８は、開閉プレート用バネ２３２−１乃至２３２−８により図中下方向に付勢されている。
【０２１９】
この例では、シリンダ錠１９２の奥行方向の長さは、最大限に短縮されているので、中部外周シリンダ２０６は、後部外周シリンダ２０４の内部に挿入され、外部に露出しない状態となっている。この状態で、シリンダ錠１９２に、鍵穴２０３ａから正規の鍵が挿入されて、回動されると、図３５乃至図３９を参照して上述した場合と同様に内周シリンダ２０３が回動される。また、内周シリンダ２０３の回動に伴って、その凸部２０７ｂが内周シリンダ２０３に係合している連結軸２０７も回動される。さらに、連結軸２０７の軸部２０７ｃは、出力軸２０８の軸穴２０８ａに係合しているので、出力軸２０８も回動され、ジョイントブロック２４２により出力軸２０８と連結されているジョイントカム２１２も回動される。
【０２２０】
このように、図中左側の鍵穴２０３ａから挿入された鍵を回動させることにより、ジョイントカム２１２が回動され、シリンダ錠１９２の開錠または施錠が行われる。
【０２２１】
図６４は、鍵の挿入方向である奥行方向（図中左右の方向）の長さが伸長されている場合のシリンダ錠１９２の鍵が挿入される方向における縦断面図である。同図においてシリンダ錠１９２には、鍵が挿入されていない状態であり、シリンダ錠１９２の奥行方向の長さは、最大限に伸長されているので、中部外周シリンダ２０６のほぼ全体が、外部に露出した状態となっている。
【０２２２】
すなわち、図６３に示される状態から、シリンダ錠１９２が奥行方向である図中左右の方向に伸長されたことにより、例えば、前部外周シリンダ２００が図中左方向に移動し、カシメピン３５１−１と３５１−２により前部内周シリンダ２００に固定された中部外周シリンダ２０６も、後部外周シリンダ２０４の内部の面に沿って図中左方向に移動され、その結果、図６３で後部外周シリンダ２０４の内部に隠れていた中部外周シリンダ２０６が外部に露出している。また、このとき連結軸２０７も図中左方向に移動する。
【０２２３】
この状態で、シリンダ錠１９２に、鍵穴２０３ａから正規の鍵が挿入されて、回動されると、図３５乃至図３９を参照して上述した場合と同様に内周シリンダ２０３が回動される。また、内周シリンダ２０３の回動に伴って、凸部２０７ｂが内周シリンダ２０３に係合している連結軸２０７も回動される。上述したように連結軸２０７は、図６３の状態から左に移動しているが、軸部２０７ｃの図中右側の先端部は、出力軸２０８の軸穴２０８ａに係合しているので、やはり出力軸２０８も回動され、ジョイントブロック２４２により出力軸２０８と連結されているジョイントカム２１２も回動される。
【０２２４】
このように、シリンダ錠１９２においては、その奥行方向の長さを変えることができるとともに、奥行方向の長さが短縮されている場合も、伸長されている場合も、図中左側の鍵穴２０３ａから挿入された鍵を回動させることにより、ジョイントカム２１２が回動され、シリンダ錠１９２の開錠または施錠を行うことができ、その結果、１つの種類のシリンダ錠１９２を、例えば、奥行が短いスロット遊技台にも、奥行が長いスロット遊技台にも利用することができる。
【０２２５】
図６５と図６６は、シリンダ錠１９２の奥行方向の長さが短縮されている場合と、シリンダ錠１９２の奥行方向の長さが伸長されている場合の、内周シリンダ２０３、連結軸２０７、出力軸２０８、およびジョイントカム２１２の関係を示す図である。上述したように、出力軸２０８には、連結軸２０７の軸部２０７ｃの断面とほぼ同じ形状の軸穴２０８ａが設けられており、連結軸２０７の軸部２０７ｃが軸穴２０８ａに係合するともに、軸部２０７ｃが、出力軸２０８の内部に挿入され、出力軸２０８の内部において鍵の挿入方向である奥行方向に移動可能となるように構成されている。図６５の例では、シリンダ錠１９２の奥行方向の長さが短縮されており、連結軸２０７の軸部２０７ｃのほぼ全体が出力軸２０８の内部に隠れているが、図６６の例では、シリンダ錠１９２の奥行方向の長さが伸長されており、連結軸２０７の軸部２０７ｃのほぼ全体が外部に露出している。
【０２２６】
なお実際には、連結軸２０７の外側に中部外周シリンダ２０６が設けられているため、シリンダ錠１９２の奥行方向の長さが伸長されている場合でも、連結軸２０７の軸部２０７ｃは、中部外周シリンダ２０６の内部に隠れるため、外部に露出することはない。
【０２２７】
図６７は、鍵の挿入方向である奥行方向（図中左右の方向）の長さが短縮されている場合のシリンダ錠１９２の鍵が挿入される方向における別の縦断面図である。同図においてシリンダ錠１９２は、リセット状態とされている。すなわち、図６３の場合と比較して、リセットボタン２１１が図中下方向に押下され、内周シリンダ２０３が１８０°回転（回動）された状態となっている。このとき、リセットボタン２１１が押下されたことにより、ジョイントブロック２４２がジョイントカム２１２の凹部２１２ｃとの嵌合が解除され、出力軸２０８とジョイントカム２１２との連結が解除されるので、内周シリンダ２０３が回動に伴って、連結軸２０７および出力軸２０８が回動されてもジョイントカム２１２は回動されない。
【０２２８】
図６３の場合と同様に、この例では、シリンダ錠１９２の奥行方向の長さは、最大限に短縮されているので、中部外周シリンダ２０６は、後部外周シリンダ２０４の内部に挿入され、外部に露出しない状態となっている。
【０２２９】
図６８は、鍵の挿入方向である奥行方向（図中左右の方向）の長さが伸長されている場合のシリンダ錠１９２の鍵が挿入される方向における別の縦断面図である。同図においてシリンダ錠１９２は、リセット状態とされている。すなわち、図６４の場合と比較して、リセットボタン２１１が図中した方向に押下され、内周シリンダ２０３が１８０°回転（回動）された状態となっている。このとき、リセットボタン２１１が押下されたことにより、ジョイントブロック２４２がジョイントカム２１２の凹部２１２ｃとの嵌合が解除され、出力軸２０８とジョイントカム２１２との連結が解除されるので、内周シリンダ２０３が回動に伴って、連結軸２０７および出力軸２０８が回動されても、やはりジョイントカム２１２は回動されない。
【０２３０】
また、図６４の場合と同様に、この例では、シリンダ錠１９２の奥行方向の長さは、最大限に伸長されているので、中部外周シリンダ２０６のほぼ全体が、外部に露出している。
【０２３１】
このように、シリンダ錠１９２においては、その奥行方向の長さを変えることができるとともに、奥行方向の長さが短縮されている場合も、伸長されている場合も、キーコードをリセットすることができ、その結果、１つの種類のシリンダ錠１９２を、例えば、奥行が短いスロット遊技台にも、奥行が長いスロット遊技台にも利用することができるとともに、いずれの場合も簡単にキーコードをリセットすることができる。
【０２３２】
図６９は、本発明のシリンダ錠１９２が取り付けられたスロット遊技台６００の外観を示す斜視図である。図７０は、図６９のスロット遊技台６００を背面からみた斜視図である。なお、図６９と図７０は、説明の便宜上、内部が透視できるように表現されている。
【０２３３】
同図に示されるようにスロット遊技台６００は、ドラム表示部６０３が設けられた前扉６０２と、本体６０１により構成されている。シリンダ錠１９２は、前扉６０２に設けられた穴などに、前部外周シリンダ２００および後部外周シリンダ２０４が挿入され、後部外周シリンダ２０４の取り付けフランジ２０４ａの裏側のジョイントカム２１２の軸部２１２ａが、本体６０１に設けられた施錠カムなどに取り付けられるように構成されている。シリンダ錠１９２を開錠することにより、例えば、前扉６０２を、図６９の手前方向に開いて本体６０１に設けられた所定の部分にメダルを出し入れしたり、エラーをリセットしたりすることができる。
【０２３４】
このように、スロット遊技台６００においては、シリンダ錠１９２を開錠することにより、エラーがリセットされ、また、ゲームに必要なメダルの補給または回収が行われる。したがって、鍵穴に異物が挿入されてキー操作が不可能となった場合（シリンダ錠１９２に鍵が挿入できなくなった場合）、シリンダ錠１９２を開錠する鍵が破損した場合、紛失した場合などは、スロット遊技台６００を利用したゲームの継続ができなくなり、遊技場の営業に支障がでる恐れがある。
【０２３５】
このため、鍵穴に異物が挿入されてキー操作が不可能となった場合、シリンダ錠１９２を開錠する鍵が破損した場合、紛失した場合などに備えて、例えば、専用の治具などを用いて、シリンダ錠１９２を開錠することが可能となるようにシリンダ錠１９２が構成されることが望ましい。
【０２３６】
図７１と図７２は、専用の治具などを用いて、開錠することが可能となるように構成されたシリンダ錠１９２の外観の例を示している。図７１は、シリンダ錠１９２の前端部側の外観の斜視図である。図７２は、シリンダ錠１９２の後端部側の外観の斜視図である。図７１と図７２は、それぞれ図５８と図５９に対応する図であり、対応する各部には同一の符号が付されている。
【０２３７】
図７１と図７２においては、図５８と図５９の場合と異なり、前部外周シリンダ２００の前端部側の所定の位置に、ノッチ（切り込み）７０１が設けられている。このシリンダ錠１９２は、専用の治具を用いて前部外周シリンダ２００を、ノッチ７０１の位置において破断させ、前部外周シリンダ２００の前部２００ａを後部２００ｂから切り離し、前部外周シリンダ２００の内部の内周シリンダ２０３を、内周シリンダ２０３に装着された（内周シリンダ２０３の所定の部位に係合されるなどした）開閉プレート２３１−１乃至２３１−８、タンブラプレート２３３−１乃至２３３−８、サイドバー２５１などとともに、外部に引き出すことが可能となるように構成されている。
【０２３８】
なお、前部外周シリンダ２００の前部２００ａと後部２００ｂは、いずれも前部外周シリンダ２００と同一の筐体の一部であり、別々に設けられるものではない。すなわち、外周シリンダ２００において、ノッチ７０１の位置より前側（鍵穴側）の部分を前部２００ａ、ノッチ７０１の位置より後側（後部外周シリンダ２０４側）の部分を後部２００ｂと呼んでいる。
【０２３９】
図７３は、図７１と図７２に示されるシリンダ錠１９２を横方向（鍵の挿入方向に対して直角となる方向）から見た図である。同図に示されるように、ノッチ７０１は、前部外周シリンダ２００の形状に沿って、円周状に設けられている。
【０２４０】
図７４は、図７３に示されるノッチ７０１の一部（図中円で囲まれた部分）を拡大した図である。同図に示されるように、ノッチ７０１は、前部外周シリンダ２００の前部２００ａ側から斜め下側に向かう斜面７０１ａ、前部外周シリンダ２００の後部２００ｂ側から斜め下側に向かう斜面７０１ｂ、および底面７０１ｃからなるＶ字型の切り込みとして構成される。
【０２４１】
図７５は、図７３に示されるシリンダ錠１９２を上方向から見た斜視図であり、図７６は、図７５の斜線で示される面５６１に沿ってシリンダ錠１９２を切断した場合の断面図である。図７５または図７６に示されるように、前部外周シリンダ２００は、ノッチ７０１の位置を基準にして、鍵穴２０３ａ側が前部２００ａとされ、後部外周シリンダ２０４側が後部２００ｂとされる。図６９に示されるように、スロット遊技台６００において、前部外周シリンダ２００の鍵穴２０３ａ側、すなわち前部２００ａは、前扉６０２から図中手前方向に露出するように取り付けられており、鍵穴２０３ａ側から治具をあてて、前部外周シリンダ２００を、ノッチ７０１の位置において破断させることが可能となるように構成されている。
【０２４２】
このようにすることで、前部外周シリンダ２００の前部２００ａを後部２００ｂから切り離したとき、内周シリンダ２０３を、サイドバー２５１などとともに、スロット遊技台６００の外部に引き出すことが可能となる
【０２４３】
図７７は、図７６の一部（図中円で囲まれた部分）を拡大した図である。同図に示されるように、斜面７０１ａ、斜面７０１ｂ、および底面７０１ｃからなるノッチ７０１は、前部外周シリンダ２００の前部２００ａの図中左側端部から所定の距離に、幅Ｗの円周状の切り込みとして設けられる。
【０２４４】
ノッチ７０１の幅Ｗおよび深さは、治具を用いて充分強く回転させたときだけ前部外周シリンダ２００が破壊されるように設定される。例えば、人が前部２００ａを手で掴んでひねったときのねじれの力、または、前扉６０２を図６９中手前方向に引いたときの引っ張りの力では、前部外周シリンダ２００は破壊されない。
【０２４５】
図７８は、上述した、前部外周シリンダ２００を破断させるとき用いられる治具７５１の外観の例を示す斜視図である。同図に示されるように治具７５１は、外周シリンダ２００よりも充分硬質な材料で構成され、握り部７５１ｃは大きく、先端部７５１ａおよび先端部７５１ａに設けられた凸部７５１ｂは小さく構成されている。治具７５１を用いて前部外周シリンダ２００を破断させる場合、後述するように、治具７５１のユーザは、凸部７５１ｂを前部外周シリンダ２００の一部に嵌合させて、握り部７５１ｃを握って、先端部７５１ａを回転させる。このとき、握り部７５１ｃを強く回転させると、先端部７５１ａはさらに強い力で回転し、前部外周シリンダ２００が破断する。
【０２４６】
図７９は、図７８の治具７５１を、先端部７５１ａ側から見た図であり、図８０は、図７９の図中円で囲まれた部分を拡大した図である。図８０に示されるように、先端部７５１ａは、図中上下方向に長い板状に構成されており、凸部７５１ｂは、先端部７５１ａの図中上下両端に設けられている。
【０２４７】
治具７５１を用いて前部外周シリンダ２００を破断させる場合、図８１に示されるように、治具７５１の先端部７５１ａを鍵穴２０３ａに向けて近づけていく。すなわち、正規の鍵を用いてシリンダ錠１９２を開錠する場合と同様に、鍵穴２０３ａから治具７５１をあててシリンダ錠１９２を破壊することができる。
【０２４８】
図８２は、図８１の前部外周シリンダ２００の前部２００ａ付近（図中円で囲まれた部分）を拡大した図である。同図に示されるように、前部２００ａにおいて、鍵穴２０３ａが露出している面には、治具７５１の凸部７５１ｂと嵌合する凹部２００ｃが設けられている。
【０２４９】
図８３は、図８１に示される状態から、治具７５１をさらに、前部外周シリンダ２００に近づけて、治具７５１の凸部７５１ｂと、前部２００ａの凹部２００ｃを嵌合させた場合の例を示す図であり、図８４は、図８３の図中円で囲まれた部分を拡大した図である。
【０２５０】
図８３において、充分大きな力で、治具の握り部７５１ｃの図中右端を矢印５２１の方向に動かし、握り部７５１ｃの図中左端を矢印５２２の方向に動かすと、図８４において、先端部７５１ａの図中上側の凸部７５１ｂには、矢印５２３の方向にさらに強い力が加えられ、先端部７５１ａの図中下側の凸部７５１ｂには、矢印５２４の方向にさらに強い力が加えられることになる。
【０２５１】
いま、凸部７５１ｂは、凹部２００ｃと嵌合しているので、凸部７５１ｂに加えられた力が前部外周シリンダ２００にも伝わり、外周シリンダ２００は図中反時計回りに回転しようとする。しかし、前部外周シリンダ２００は、後部外周シリンダ２０４に対して固定されており、後部外周シリンダ２０４は、取り付けフランジ２０４ａによりスロット遊技台６００に固定されているので、回転することができない。このため、ノッチ７０１の部分には、強いねじれの力がかかることになり、この力が所定の大きさを超えると、前部外周シリンダ２００は、ノッチ７０１の位置において破壊され、前部２００ａが、後部２００ｂから切り離されることになる。
【０２５２】
図８５は、前部外周シリンダ２００が、ノッチ７０１の位置において破壊され、前部２００ａが、後部２００ｂから切り離された状態のシリンダ錠１９２の外観を示す斜視図である。同図に示されるように、前部２００ａが切り離された結果、内周シリンダ２０３の一部が外部に露出している。
【０２５３】
図８６は、図８５のシリンダ錠１９２を、図８５の図中左方向から見た図である。同図に示されるように、内周シリンダ２０３とともに、サイドバー２５１も、その一部が外部に露出している。
【０２５４】
シリンダ錠１９２を開錠する鍵が破損した場合、紛失した場合などは、上述したように、前部外周シリンダ２００を破断させた後、図８７に示されるように、内周シリンダ２０３が、サイドバー２５１などとともに、前部外周シリンダ２００（いまの場合、後部２００ｂ）から引き出される。そして、さらに内周シリンダ２０３からサイドバー２５１が取り外され、内周シリンダ２０３が再び前部外周シリンダ２００の内部に挿入される。
【０２５５】
その後、図８８に示されるように、鍵Ｋ5が内周シリンダ２０３の鍵穴２０３ａから挿入される。ここで鍵Ｋ5は、図２２を参照して上述した、鍵Ｋ3と同様に、ユーザが鍵Ｋ5を回動させる場合に、保持される保持部４１１、および鍵穴２０３ａに挿入される挿入部４１２により構成されているが、鍵Ｋ3とは異なり、挿入部４１２に、位置決め面を設ける必要はない。
【０２５６】
図３７と図３８を参照して上述したように、シリンダ錠１９２は、本来、開閉プレート２３１−１乃至２３１−８が正規の鍵Ｋ3の挿入部４１２の位置決め面４２１乃至４２８に当接して移動されることで、開閉プレート２３１−１乃至２３１−８に係合しているタンブラプレート２３３−１乃至２３３−８も移動され、その結果、サイドバー２５１（の凸部２５１ｂ）が右方向に移動して、タンブラプレートの凹部２３３−１a乃至２３３−８ａに挿入されて、内周シリンダ２０３が外周シリンダ２０１（前部外周シリンダ２００）に対して回動する状態になることにより開錠される。
【０２５７】
しかし、図８７に示されるように、内周シリンダ２０３からサイドバー２５１が取り外されているので、内周シリンダ２０３は、前部外周シリンダ２００に対して常に回動する状態になっており、正規の鍵ではない、鍵Ｋ5を挿入して、シリンダ錠１９２を開錠することが可能となる（勿論、正規の鍵を挿入して開錠することも可能である）。
【０２５８】
また、鍵穴に異物が挿入されてキー操作が不可能となった場合であっても、例えば、内周シリンダ２０３を取り出して、鍵穴から異物を取り除くことにより再びシリンダ錠１９２を開錠することができる。
【０２５９】
図８９は、図８８のシリンダ錠１９２を、取り付けフランジ２０４の裏側から見た図である。鍵Ｋ5を回動させると、ジョイントカム２１２の軸部２１２ａも回動し、シリンダ錠１９２を開錠することができる。
【０２６０】
図８８と図８９の説明では、鍵Ｋ5を用いてシリンダ錠１９２を開錠する例について説明したが、前部外周シリンダ２００を破断させ、サイドバー２５１が取り外されたシリンダ錠１９２であれば、鍵Ｋ5を用いなくてもシリンダ錠１９２を開錠することが可能である。例えば、ドライバの先端部を鍵穴２０３ａに挿入し、ドライバを回転されることにより、内周シリンダ２０３を回動させ、シリンダ錠１９２を開錠することも可能である。要は、鍵穴２０３ａに係合する先端部を有するものであれば、鍵Ｋ5の代わりとして、シリンダ錠１９２の開錠に利用することができる。従って、鍵穴に異物が挿入されてキー操作が不可能となった場合、正規の鍵を紛失したり破損したりした場合であっても、シリンダ錠１９２を容易に開錠することが可能であり、スロット遊技台６００の管理を安価に（容易に）行うことができる。
【図面の簡単な説明】
【０２６１】
【図１】従来のシリンダ錠の縦断面図である。
【図２】正規の鍵が挿入されている従来のシリンダ錠に縦断面図である。
【図３】リセット状態への移行を説明する、従来のシリンダ錠の縦断面図である。
【図４】リセット状態への移行を説明する、従来のシリンダ錠の縦断面図である。
【図５】リセット状態への移行を説明する、従来のシリンダ錠の縦断面図である。
【図６】リセット状態の従来のシリンダ錠の縦断面図である。
【図７】キーコードの変更を説明する、従来のシリンダ錠の縦断面図である。
【図８】キーコードの変更を説明する、従来のシリンダ錠の縦断面図である。
【図９】キーコードの変更を説明する、従来のシリンダ錠の縦断面図である。
【図１０】キーコードが変更された従来のシリンダ錠の縦断面図である。
【図１１】従来のシリンダ錠の縦断面図である。
【図１２】本発明のシリンダ錠の前端部側の外観斜視図である。
【図１３】本発明のシリンダ錠の後端部側の外観斜視図である。
【図１４】本発明の係るシリンダ錠を正面からみた図である。
【図１５】本発明のシリンダ錠を側面からみた図である。
【図１６】本発明のシリンダ錠の構成を示す斜視図である。
【図１７】本発明のシリンダ錠の鍵が挿入される方向における縦断面図である。
【図１８】図１７のＡ−Ａ線におけるシリンダ錠の縦断面図である。
【図１９】開閉プレートとタンブラプレートの関係を示す斜視図である。
【図２０】開閉プレートとタンブラプレートの関係を示す斜視図である。
【図２１】開閉プレート、タンブラプレート、およびサイドバーの関係を示す斜視図である。
【図２２】正規の鍵の外観の例を示す斜視図である。
【図２３】鍵が完全に挿入されたシリンダ錠の縦断面図である。
【図２４】完全挿入確認バネの取り付け位置を説明する図である。
【図２５】完全挿入確認バネが装着されたシリンダ錠の断面図である。
【図２６】図２５の完全挿入確認バネの拡大図である。
【図２７】鍵が完全に挿入されたシリンダ錠の縦断面図である。
【図２８】図２８の完全挿入確認バネの拡大図である。
【図２９】完全挿入確認ボタンを説明する図である
【図３０】完全挿入確認ボタンが装着されたシリンダ錠の断面図である。
【図３１】図３０の完全挿入確認ボタンの拡大図である。
【図３２】鍵が完全に挿入されたシリンダ錠の断面図である。
【図３３】図３２の完全挿入確認ボタンの拡大図である。
【図３４】図２３のＣ−Ｃ線、Ｄ−Ｄ線、およびＥ−Ｅ線におけるシリンダ錠の縦断面図である。
【図３５】鍵が挿入される前のシリンダ錠の縦断面図である。
【図３６】図３５の状態における開閉プレート、タンブラプレート、およびサイドバーの位置の関係を示す図である。
【図３７】鍵が挿入されたシリンダ錠の縦断面図である。
【図３８】鍵を回動するときのシリンダ錠の縦断面図である。
【図３９】図３８の状態における開閉プレート、タンブラプレート、およびサイドバーの位置の関係を示す図である。
【図４０】正規の鍵が挿入されていないシリンダ錠の縦断面図である。
【図４１】リセットボタンを説明する図である。
【図４２】リセットボタンが押下されたときのシリンダ錠の断面図である。
【図４３】図４２の状態から鍵を回動させたときのシリンダ錠の断面図である。
【図４４】リセットさせる前の開閉プレート、タンブラプレート、およびサイドバーの位置の関係を示す図である。
【図４５】リセットされるときの開閉プレート、タンブラプレート、およびサイドバーの位置の関係を示す図である。
【図４６】リセットが完了したシリンダ錠の断面図である。
【図４７】キーコードの変更するときのシリンダ錠の断面図である。
【図４８】キーコードの変更が完了したシリンダ錠の断面図である。
【図４９】内周シリンダの外観を示す図である。
【図５０】図４９の内周シリンダの断面図である。
【図５１】図５０の内周シリンダの端部の拡大図である。
【図５２】鍵が完全に挿入されたシリンダ錠の断面図である。
【図５３】完全挿入確認プレートの取り付け位置を説明する図である。
【図５４】完全挿入確認プレートが装着されたシリンダ錠の断面図である。
【図５５】図５４のＪ−Ｊ線におけるシリンダ錠の断面図である。
【図５６】鍵が完全に挿入されたシリンダ錠の断面図である。
【図５７】図５６のＫ−Ｋ線におけるシリンダ錠の断面図である。
【図５８】奥行方向の長さが可変になるように構成されたシリンダ錠の外観の例を示す図である。
【図５９】奥行方向の長さが可変になるように構成されたシリンダ錠の外観の例を示す図である。
【図６０】図５８のシリンダ錠の奥行方向の長さを伸長させた場合の外観の例を示す図である。
【図６１】図５９のシリンダ錠の奥行方向の長さを伸長させた場合の外観の例を示す図である。
【図６２】本発明のシリンダ錠の構成を示す斜視図である。
【図６３】シリンダ錠の奥行方向の長さを短縮させた場合の、鍵が挿入される方向における縦断面図である。
【図６４】シリンダ錠の奥行方向の長さを伸長させた場合の、鍵が挿入される方向における縦断面図である。
【図６５】シリンダ錠の奥行方向の長さが短縮されている場合の、連結軸２０７と、出力軸２０８の関係を示す図である。
【図６６】シリンダ錠の奥行方向の長さが伸長されている場合の、連結軸２０７と、出力軸２０８の関係を示す図である。
【図６７】リセット状態のシリンダ錠の奥行方向の長さを短縮させた場合の縦断面図である。
【図６８】リセット状態のシリンダ錠の奥行方向の長さを伸長させた場合の縦断面図である。
【図６９】スロット遊技台の外観を示す斜視図である。
【図７０】スロット遊技台の外観を示す斜視図である。
【図７１】本発明のシリンダ錠の別の構成例を示す斜視図である。
【図７２】図７１のシリンダ錠を別の角度からみた斜視図である。
【図７３】図７１のシリンダ錠を横方向からみた図である。
【図７４】図７３のノッチの拡大図である。
【図７５】図７３のシリンダ錠を上方向から見た斜視図である。
【図７６】図７５のシリンダ錠の断面図である。
【図７７】図７６のノッチの拡大図である。
【図７８】治具の外観の例を示す斜視図である。
【図７９】図７８の治具を別の角度からみた斜視図である。
【図８０】図７９の先端部の拡大図である。
【図８１】治具を利用する場合のシリンダ錠と治具の位置の関係を示す斜視図である。
【図８２】図８１の前部外周シリンダの前部の拡大図である。
【図８３】治具の凸部が前部外周シリンダに挿入されたときの治具とシリンダ錠の斜視図である。
【図８４】図８３の前部外周シリンダの前部の拡大図である。
【図８５】前部外周シリンダが破壊されたシリンダ錠の外観を示す斜視図である。
【図８６】図８５のシリンダ錠を別の角度からみた斜視図である。
【図８７】図８６のシリンダ錠から内周シリンダが取り外された場合の例を示す斜視図である。
【図８８】前部外周シリンダが破壊されたシリンダ錠に鍵が挿入されたときのシリンダ錠と鍵の斜視図である。
【図８９】図８８のシリンダ錠と鍵を別の角度からみた斜視図である。
【符号の説明】
【０２６２】
１９１  シリンダ錠，
１９２  シリンダ錠，
２００  前部外周シリンダ，
２００ａ  前部，
２００ｂ  後部，
２００ｃ  凹部，
２０１  外周シリンダ，
２０１ｄ  凹部，
２０３  内周シリンダ，
２０３ａ  鍵穴，
２０３ｂ  端部，
２０４  後部外周シリンダ，
２０６  中部外周シリンダ，
２０７  連結軸，
２０８  出力軸，
２１１  リセットボタン，
２１２  ジョイントカム，
２３１−１乃至２３１−８  開閉プレート，
２３１−１ａ乃至２３１−８ａ  係合穴，
２３１−１ｂ乃至２３１−８ｂ  係合穴，
２３２−１乃至２３２−８  開閉プレート用バネ，
２３３−１乃至２３３−８  タンブラプレート，
２３３−１a乃至２３３−８ａ  凹部，
２３３−１ｂ乃至２３３−８ｂ  係合ピン，
２５１  サイドバー，
２５１ａ  凸部，
３１１  完全挿入確認バネ，
３１１ａ  尖端部，
３１２  完全挿入確認ボタン，
３１３  完全挿入確認プレート
３１３ａ  端部，
３１３ｂ  端部，
３１４  完全挿入確認プレート用バネ，
６００  スロット遊技台，
７０１  ノッチ，
７５１  治具，
７５１ａ  先端部，
７５１ｂ  凸部，
Ｋ3  鍵，
Ｋ4  鍵，
Ｋ5  鍵
【図１】
2006316582.tif 000003
【図２】
2006316582.tif 000004
【図３】
2006316582.tif 000005
【図４】
2006316582.tif 000006
【図５】
2006316582.tif 000007
【図６】
2006316582.tif 000008
【図７】
2006316582.tif 000009
【図８】
2006316582.tif 000010
【図９】
2006316582.tif 000011
【図１０】
2006316582.tif 000012
【図１１】
2006316582.tif 000013
【図１２】
2006316582.tif 000014
【図１３】
2006316582.tif 000015
【図１４】
2006316582.tif 000016
【図１５】
2006316582.tif 000017
【図１６】
2006316582.tif 000018
【図１７】
2006316582.tif 000019
【図１８】
2006316582.tif 000020
【図１９】
2006316582.tif 000021
【図２０】
2006316582.tif 000022
【図２１】
2006316582.tif 000023
【図２２】
2006316582.tif 000024
【図２３】
2006316582.tif 000025
【図２４】
2006316582.tif 000026
【図２５】
2006316582.tif 000027
【図２６】
2006316582.tif 000028
【図２７】
2006316582.tif 000029
【図２８】
2006316582.tif 000030
【図２９】
2006316582.tif 000031
【図３０】
2006316582.tif 000032
【図３１】
2006316582.tif 000033
【図３２】
2006316582.tif 000034
【図３３】
2006316582.tif 000035
【図３４】
2006316582.tif 000036
【図３５】
2006316582.tif 000037
【図３６】
2006316582.tif 000038
【図３７】
2006316582.tif 000039
【図３８】
2006316582.tif 000040
【図３９】
2006316582.tif 000041
【図４０】
2006316582.tif 000042
【図４１】
2006316582.tif 000043
【図４２】
2006316582.tif 000044
【図４３】
2006316582.tif 000045
【図４４】
2006316582.tif 000046
【図４５】
2006316582.tif 000047
【図４６】
2006316582.tif 000048
【図４７】
2006316582.tif 000049
【図４８】
2006316582.tif 000050
【図４９】
2006316582.tif 000051
【図５０】
2006316582.tif 000052
【図５１】
2006316582.tif 000053
【図５２】
2006316582.tif 000054
【図５３】
2006316582.tif 000055
【図５４】
2006316582.tif 000056
【図５５】
2006316582.tif 000057
【図５６】
2006316582.tif 000058
【図５７】
2006316582.tif 000059
【図５８】
2006316582.tif 000060
【図５９】
2006316582.tif 000061
【図６０】
2006316582.tif 000062
【図６１】
2006316582.tif 000063
【図６２】
2006316582.tif 000064
【図６３】
2006316582.tif 000065
【図６４】
2006316582.tif 000066
【図６５】
2006316582.tif 000067
【図６６】
2006316582.tif 000068
【図６７】
2006316582.tif 000069
【図６８】
2006316582.tif 000070
【図６９】
2006316582.tif 000071
【図７０】
2006316582.tif 000072
【図７１】
2006316582.tif 000073
【図７２】
2006316582.tif 000074
【図７３】
2006316582.tif 000075
【図７４】
2006316582.tif 000076
【図７５】
2006316582.tif 000077
【図７６】
2006316582.tif 000078
【図７７】
2006316582.tif 000079
【図７８】
2006316582.tif 000080
【図７９】
2006316582.tif 000081
【図８０】
2006316582.tif 000082
【図８１】
2006316582.tif 000083
【図８２】
2006316582.tif 000084
【図８３】
2006316582.tif 000085
【図８４】
2006316582.tif 000086
【図８５】
2006316582.tif 000087
【図８６】
2006316582.tif 000088
【図８７】
2006316582.tif 000089
【図８８】
2006316582.tif 000090
【図８９】
2006316582.tif 000091